(57)【要約】      （修正有）【課題】ＴＤＤ（時分割複信）キャリアとＦＤＤ（周波数分割複信）キャリアのキャリアアグリゲーションベースの無線通信システムにおいて、ＨＡＲＱ（ハイブリッド自動再送要求）プロセスを効率的に行う。【解決手段】ＴＤＤセルのサブフレームｎを介して基地局からＰＤＳＣＨ（物理ダウンリンク共用チャネル）を受信する段階と、ＰＤＳＣＨに対する応答を含むＰＵＣＣＨ（物理アップリンク制御チャネル）をＦＤＤセルのサブフレームｎ＋４を介して基地局に伝送する段階とを含む。【選択図】図３
2019110600.tif 000002
【特許請求の範囲】
【請求項１】
端末で実行されるキャリアアグリゲーション（ｃａｒｒｉｅｒ  ａｇｇｒｅｇａｔｉｏｎ）ベースの通信方法であって、
ＴＤＤ（ｔｉｍｅ  ｄｉｖｉｓｉｏｎ  ｄｕｐｌｅｘ）セル（ｃｅｌｌ）のサブフレーム（ｓｕｂｆｒａｍｅ）ｎを介して基地局からＰＤＳＣＨ（ｐｈｙｓｉｃａｌ  ｄｏｗｎｌｉｎｋ  ｓｈａｒｅｄ  ｃｈａｎｎｅｌ）を受信する段階と、
前記ＰＤＳＣＨに対する応答を含むＰＵＣＣＨ（ｐｈｙｓｉｃａｌ  ｕｐｌｉｎｋ  ｃｏｎｔｒｏｌ  ｃｈａｎｎｅｌ）をＦＤＤ（ｆｒｅｑｕｅｎｃｙ  ｄｉｖｉｓｉｏｎ  ｄｕｐｌｅｘ）セルのサブフレームｎ＋４を介して前記基地局に伝送する段階と、を含む、キャリアアグリゲーションベースの通信方法。
【請求項２】
前記ＴＤＤセルのサブフレームｎが下りリンクサブフレームまたは特別（ｓｐｅｃｉａｌ）サブフレームであることを特徴とする、請求項１に記載のキャリアアグリゲーションベースの通信方法。
【請求項３】
前記ＴＤＤセルがセカンダリ（ｓｅｃｏｎｄａｒｙ）セルであることを特徴とする、請求項１に記載のキャリアアグリゲーションベースの通信方法。
【請求項４】
前記ＦＤＤセルがプライマリ（ｐｒｉｍａｒｙ）セルであることを特徴とする、請求項１に記載のキャリアアグリゲーションベースの通信方法。
【請求項５】
端末で実行されるキャリアアグリゲーション（ｃａｒｒｉｅｒ  ａｇｇｒｅｇａｔｉｏｎ）ベースの通信方法であって、
ＦＤＤ（ｆｒｅｑｕｅｎｃｙ  ｄｉｖｉｓｉｏｎ  ｄｕｐｌｅｘ）セル（ｃｅｌｌ）のサブフレーム（ｓｕｂｆｒａｍｅ）ｎを介して基地局からＰＤＳＣＨ（ｐｈｙｓｉｃａｌ
ｄｏｗｎｌｉｎｋ  ｓｈａｒｅｄ  ｃｈａｎｎｅｌ）を受信する段階と、
ＴＤＤ（ｔｉｍｅ  ｄｉｖｉｓｉｏｎ  ｄｕｐｌｅｘ）セルのサブフレームｎ＋４が上りリンクサブフレームである場合、前記ＴＤＤセルのサブフレームｎ＋４を介して前記ＰＤＳＣＨに対する応答を含むＰＵＣＣＨ（ｐｈｙｓｉｃａｌ  ｕｐｌｉｎｋ  ｃｏｎｔｒｏｌ  ｃｈａｎｎｅｌ）を前記基地局に伝送する段階と、を含む、キャリアアグリゲーションベースの通信方法。
【請求項６】
前記キャリアアグリゲーションベースの通信方法は、
前記ＴＤＤセルのサブフレームｎ＋４が上りリンクサブフレームでない場合、前記ＴＤＤセルのサブフレームｎ＋４以後に最も隣接する上りリンクサブフレームを介して前記ＰＤＳＣＨに対する応答を含むＰＵＣＣＨを前記基地局に伝送する段階をさらに含むことを特徴とする、請求項５に記載のキャリアアグリゲーションベースの通信方法。
【請求項７】
前記ＦＤＤセルがセカンダリ（ｓｅｃｏｎｄａｒｙ）セルであることを特徴とする、請求項５に記載のキャリアアグリゲーションベースの通信方法。
【請求項８】
前記ＴＤＤセルがプライマリ（ｐｒｉｍａｒｙ）セルであることを特徴とする、請求項５に記載のキャリアアグリゲーションベースの通信方法。
【請求項９】
端末で実行されるキャリアアグリゲーション（ｃａｒｒｉｅｒ  ａｇｇｒｅｇａｔｉｏｎ）ベースの通信方法であって、
ＦＤＤ（ｆｒｅｑｕｅｎｃｙ  ｄｉｖｉｓｉｏｎ  ｄｕｐｌｅｘ）セル（ｃｅｌｌ）のサブフレーム（ｓｕｂｆｒａｍｅ）ｎを介して基地局からＰＤＳＣＨ（ｐｈｙｓｉｃａｌ
ｄｏｗｎｌｉｎｋ  ｓｈａｒｅｄ  ｃｈａｎｎｅｌ）を受信する段階と、
ＴＤＤ（ｔｉｍｅ  ｄｉｖｉｓｉｏｎ  ｄｕｐｌｅｘ）セルのＵＬ／ＤＬ（ｕｐｌｉｎｋ／ｄｏｗｎｌｉｎｋ）設定（ｃｏｎｆｉｇｕｒａｔｉｏｎ）によるＤＬ−ＵＬ対応関係に符合する上りリンクサブフレームが前記サブフレームｎと対応する場合、前記ＴＤＤセルの前記上りリンクサブフレームを介して前記ＰＤＳＣＨに対する応答を含むＰＵＣＣＨ（ｐｈｙｓｉｃａｌ  ｕｐｌｉｎｋ  ｃｏｎｔｒｏｌ  ｃｈａｎｎｅｌ）を前記基地局に伝送する段階と、を含む、キャリアアグリゲーションベースの通信方法。
【請求項１０】
前記キャリアアグリゲーションベースの通信方法は、
前記ＴＤＤセルのＵＬ／ＤＬ設定によるＤＬ−ＵＬ対応関係に符合する上りリンクサブフレームが前記サブフレームｎと対応しない場合、前記ＴＤＤセルの上りリンクサブフレーム中の予め設定されたＤＬ−ＵＬ対応関係に符合する上りリンクサブフレームを介して前記ＰＤＳＣＨに対する応答を含むＰＵＣＣＨを前記基地局に伝送する段階と、をさらに含むことを特徴とする、請求項９に記載のキャリアアグリゲーションベースの通信方法。
【請求項１１】
前記予め設定されたＤＬ−ＵＬ対応関係に符合する上りリンクサブフレームが前記ＴＤＤセルのサブフレームｎ＋４以後に最も隣接する上りリンクサブフレームであることを特徴とする、請求項１０に記載のキャリアアグリゲーションベースの通信方法。
【請求項１２】
前記予め設定されたＤＬ−ＵＬ対応関係に符合する上りリンクサブフレームが前記ＴＤＤセルのサブフレームｎ＋５であることを特徴とする、請求項１０に記載のキャリアアグリゲーションベースの通信方法。
【請求項１３】
前記予め設定されたＤＬ−ＵＬ対応関係に符合する上りリンクサブフレームが前記ＴＤＤセルの次の無線（ｒａｄｉｏ）フレームに含まれた一番目の上りリンクサブフレームであることを特徴とする、請求項１０に記載のキャリアアグリゲーションベースの通信方法。
【請求項１４】
前記ＦＤＤセルがセカンダリ（ｓｅｃｏｎｄａｒｙ）セルであることを特徴とする、請求項９に記載のキャリアアグリゲーションベースの通信方法。
【請求項１５】
前記ＴＤＤセルがプライマリ（ｐｒｉｍａｒｙ）セルであることを特徴とする、請求項９に記載のキャリアアグリゲーションベースの通信方法。
【請求項１６】
端末で実行されるキャリアアグリゲーション（ｃａｒｒｉｅｒ  ａｇｇｒｅｇａｔｉｏｎ）ベースの通信方法であって、
ＦＤＤ（ｆｒｅｑｕｅｎｃｙ  ｄｉｖｉｓｉｏｎ  ｄｕｐｌｅｘ）セル（ｃｅｌｌ）のサブフレーム（ｓｕｂｆｒａｍｅ）ｎを介して基地局から上りリンクグラント（ｇｒａｎｔ）を含むＰＤＣＣＨ（ｐｈｙｓｉｃａｌ  ｄｏｗｎｌｉｎｋ  ｃｏｎｔｒｏｌ  ｃｈａｎｎｅｌ）を受信する段階と、
前記上りリンクグラントをベースにＴＤＤ（ｔｉｍｅ  ｄｉｖｉｓｉｏｎ  ｄｕｐｌｅｘ）セルのサブフレームｎ＋ｋを介してＰＵＳＣＨ（ｐｈｙｓｉｃａｌ  ｕｐｌｉｎｋ  ｓｈａｒｅｄ  ｃｈａｎｎｅｌ）を前記基地局に伝送する段階と、
前記ＦＤＤセルのサブフレームｎ＋１０を介してＰＵＳＣＨに対する応答を含むＰＨＩＣＨ（ｐｈｙｓｉｃａｌ  ｈｙｂｒｉｄ−ＡＲＱ  ｉｎｄｉｃａｔｏｒ  ｃｈａｎｎｅｌ）を前記基地局から受信する段階と、を含むキャリアアグリゲーションベースの通信方法。
【請求項１７】
前記サブフレームｎ＋ｋが前記ＴＤＤセルのサブフレームｎ＋４であることを特徴とする、請求項１６に記載のキャリアアグリゲーションベースの通信方法。
【請求項１８】
前記サブフレームｎ＋ｋが前記ＴＤＤセルのサブフレームｎ＋５であることを特徴とする、請求項１６に記載のキャリアアグリゲーションベースの通信方法。
【請求項１９】
前記サブフレームｎ＋ｋが前記ＴＤＤセルのサブフレームｎ＋６であることを特徴とする、請求項１６に記載のキャリアアグリゲーションベースの通信方法。
【請求項２０】
前記ＴＤＤセルが前記ＦＤＤセルによりクロスキャリアスケジューリング（ｃｒｏｓｓ
ｃａｒｒｉｅｒ  ｓｃｈｅｄｕｌｉｎｇ）されることを特徴とする、請求項１６に記載のキャリアアグリゲーションベースの通信方法。
【発明の詳細な説明】
【技術分野】
【０００１】
本発明は、無線通信システムにおける通信方法に関し、より詳しくは、ＴＤＤ（ｔｉｍｅ  ｄｉｖｉｓｉｏｎ  ｄｕｐｌｅｘ）キャリアとＦＤＤ（ｆｒｅｑｕｅｎｃｙ  ｄｉｖｉｓｉｏｎ  ｄｕｐｌｅｘ）キャリアが集約された無線通信システムにおける通信方法に関する。
【背景技術】
【０００２】
セルラー（ｃｅｌｌｕｌａｒ）通信環境で端末がデータ（ｄａｔａ）を送受信する一般的な方法は基地局を経由する方法である。すなわち、第２端末に伝送させるデータがある場合、第１端末はそのデータを自分の属する第１基地局に伝送する。第１基地局は、第１端末から受信したデータを、コア網を介して第２端末の属する第２基地局に伝送する。最後に、第２基地局は、第１基地局から受信したデータを第２端末に伝送する。ここで、第１基地局と第２基地局は同一の基地局であってもよく、互いに異なる基地局であってもよい。
【０００３】
このような無線通信システムにキャリアアグリゲーション（ｃａｒｒｉｅｒ  ａｇｇｒｅｇａｔｉｏｎ、ＣＡ）技術が導入され得る。キャリアアグリゲーション技術は、複数のコンポーネントキャリア（ｃｏｍｐｏｎｅｎｔ  ｃａｒｒｉｅｒ、ＣＣ）を集約して１つの広帯域を構成する技術を意味する。従来におけるキャリアアグリゲーションベースの無線通信システムにおいては同一方式のコンポーネントキャリアのみが集約された。すなわち、ＴＤＤ（ｔｉｍｅ  ｄｉｖｉｓｉｏｎ  ｄｕｐｌｅｘ）方式で動作するコンポーネントキャリアのみが集約されるか、またはＦＤＤ（ｆｒｅｑｕｅｎｃｙ  ｄｉｖｉｓｉｏｎ
ｄｕｐｌｅｘ）方式で動作するコンポーネントキャリアのみが集約される。特に、ＴＤＤ方式で動作するキャリアアグリゲーションの場合、同一のＵＬ−ＤＬ設定（ｕｐｌｉｎｋ−ｄｏｗｎｌｉｎｋ  ｃｏｎｆｉｇｕｒａｔｉｏｎ）を使用するコンポーネントキャリアのみが集約される。
【０００４】
一方、ＴＤＤキャリアとＦＤＤキャリアとが集約された無線通信システムで通信が実行されることができ、このような無線通信システムでスケジューリング（ｓｃｈｅｄｕｌｉｎｇ）情報、データ、データに対する応答であるＡＣＫ／ＮＡＣＫ（ａｃｋｎｏｗｌｅｄｇｅ／ｎｏｎ−ａｃｋｎｏｗｌｅｄｇｅ）が効率的に伝送できないという問題がある。
【発明の開示】
【発明が解決しようとする課題】
【０００５】
前記のような問題点を解決するための本発明の目的は、ＴＤＤキャリアとＦＤＤキャリアが集約された無線通信システムでＨＡＲＱプロセスを効率的に実行するための方法を提供する。
【０００６】
前記のような問題点を解決するための本発明の他の目的は、ＴＤＤキャリアとＦＤＤキャリアが集約された無線通信システムでＨＡＲＱプロセスを効率的に実行するための装置を提供する。
【課題を解決するための手段】
【０００７】
前記目的を達成するための本発明の一実施形態に係る端末で実行されるキャリアアグリゲーションベースの通信方法は、ＴＤＤセルのサブフレームｎを介して基地局からＰＤＳＣＨを受信する段階と、前記ＰＤＳＣＨに対する応答を含むＰＵＣＣＨをＦＤＤセルのサブフレームｎ＋４を介して前記基地局に伝送する段階とを含む。
【０００８】
ここで、前記ＴＤＤセルのサブフレームｎは、下りリンクサブフレームまたは特別サブフレームであってもよい。
【０００９】
ここで、前記ＴＤＤセルは、セカンダリセルであってもよい。
【００１０】
ここで、前記ＦＤＤセルは、プライマリセルであってもよい。
【００１１】
前記目的を達成するための本発明の他の実施形態に係る端末で実行されるキャリアアグリゲーションベースの通信方法は、ＦＤＤセルのサブフレームｎを介して基地局からＰＤＳＣＨを受信する段階と、ＴＤＤセルのサブフレームｎ＋４が上りリンクサブフレームである場合、前記ＴＤＤセルのサブフレームｎ＋４を介して前記ＰＤＳＣＨに対する応答を含むＰＵＣＣＨを前記基地局に伝送する段階とを含む。
【００１２】
ここで、前記キャリアアグリゲーションベースの通信方法は、前記ＴＤＤセルのサブフレームｎ＋４が上りリンクサブフレームでない場合、前記ＴＤＤセルのサブフレームｎ＋４以後に最も隣接する上りリンクサブフレームを介して前記ＰＤＳＣＨに対する応答を含むＰＵＣＣＨを前記基地局に伝送する段階をさらに含むことができる。
【００１３】
ここで、前記ＦＤＤセルは、セカンダリセルであってもよい。
【００１４】
ここで、前記ＴＤＤセルは、プライマリセルであってもよい。
【００１５】
前記目的を達成するための本発明のまた他の実施形態に係る端末で実行されるキャリアアグリゲーションベースの通信方法は、ＦＤＤセルのサブフレームｎを介して基地局からＰＤＳＣＨを受信する段階と、ＴＤＤセルのＵＬ／ＤＬ設定によるＤＬ−ＵＬ対応関係に符合する上りリンクサブフレームが前記サブフレームｎと対応する場合、前記ＴＤＤセルの前記上りリンクサブフレームを介して前記ＰＤＳＣＨに対する応答を含むＰＵＣＣＨを前記基地局に伝送する段階とを含む。
【００１６】
ここで、前記キャリアアグリゲーションベースの通信方法は、前記ＴＤＤセルのＵＬ／ＤＬ設定によるＤＬ−ＵＬ対応関係に符合する上りリンクサブフレームが前記サブフレームｎと対応しない場合、前記ＴＤＤセルの上りリンクサブフレーム中の予め設定されたＤＬ−ＵＬ対応関係に符合する上りリンクサブフレームを介して前記ＰＤＳＣＨに対する応答を含むＰＵＣＣＨを前記基地局に伝送する段階をさらに含むことができる。
【００１７】
ここで、前記予め設定されたＤＬ−ＵＬ対応関係に符合する上りリンクサブフレームは、前記ＴＤＤセルのサブフレームｎ＋４以後に最も隣接する上りリンクサブフレームであってもよい。
【００１８】
ここで、前記予め設定されたＤＬ−ＵＬ対応関係に符合する上りリンクサブフレームは、前記ＴＤＤセルのサブフレームｎ＋５であってもよい。
【００１９】
ここで、前記予め設定されたＤＬ−ＵＬ対応関係に符合する上りリンクサブフレームは、前記ＴＤＤセルの次の無線フレームに含まれた一番目の上りリンクサブフレームであってもよい。
【００２０】
ここで、前記ＦＤＤセルは、セカンダリセルであってもよい。
【００２１】
ここで、前記ＴＤＤセルは、プライマリセルであってもよい。
【００２２】
前記目的を達成するための本発明のまた他の実施形態に係る端末で実行されるキャリアアグリゲーションベースの通信方法は、ＦＤＤセルのサブフレームｎを介して基地局から上りリンクグラントを含むＰＤＣＣＨを受信する段階と、前記上りリンクグラントをベースにＴＤＤセルのサブフレームｎ＋ｋを介してＰＵＳＣＨを前記基地局に伝送する段階と、前記ＦＤＤセルのサブフレームｎ＋１０を介してＰＵＳＣＨに対する応答を含むＰＨＩＣＨを前記基地局から受信する段階とを含む。
【００２３】
ここで、前記サブフレームｎ＋ｋは、前記ＴＤＤセルのサブフレームｎ＋４であってもよい。
【００２４】
ここで、前記サブフレームｎ＋ｋは、前記ＴＤＤセルのサブフレームｎ＋５であってもよい。
【００２５】
ここで、前記サブフレームｎ＋ｋは、前記ＴＤＤセルのサブフレームｎ＋６であってもよい。
【００２６】
ここで、前記ＴＤＤセルは、前記ＦＤＤセルによりクロスキャリアスケジューリングされていてもよい。
【発明の効果】
【００２７】
本発明によれば、ＴＤＤキャリアとＦＤＤキャリアが集約された無線通信システムでＨＡＲＱプロセスを効率的に行うことができる。
【図面の簡単な説明】
【００２８】
【図１】本発明に係る方法を実行する端末の一実施形態を示すブロック図である。
【図２】ＬＴＥ−ＴＤＤモードのＵＬ／ＤＬ設定３でＤＬ−ＵＬ対応関係を示す概念図である。
【図３】ＦＤＤセルがプライマリセルである場合のＴＤＤセカンダリセルのＤＬ−ＵＬ対応関係（すなわち、「方法１−１」でＴＤＤセルのＵＬ／ＤＬ設定が１の場合）を示す概念図である。
【図４】ＦＤＤセルがプライマリセルである場合のＴＤＤセカンダリセルのＤＬ−ＵＬ対応関係（すなわち、「方法１−２」でＵＬ／ＤＬ設定が１の場合）を示す概念図である。
【図５】ＴＤＤセルがプライマリセルである場合のＦＤＤセカンダリセルのＤＬ−ＵＬ対応関係（すなわち、「方法２−３」でＵＬ／ＤＬ設定が３の場合）を示す概念図である。
【図６】ＴＤＤセルがプライマリセルである場合のＦＤＤセカンダリセルのＤＬ−ＵＬ対応関係（すなわち、「方法２−４」でＵＬ／ＤＬ設定が０の場合）を示す概念図である。
【図７】ＴＤＤセルがプライマリセルである場合のＦＤＤセカンダリセルのＤＬ−ＵＬ対応関係（すなわち、「方法２−５」でＴＤＤセルのＵＬ／ＤＬ設定が０の場合）を示す概念図である。
【図８】ＴＤＤセルがプライマリセルである場合のＦＤＤセカンダリセルのＤＬ−ＵＬ対応関係（すなわち、「方法２−５」でＴＤＤセルのＵＬ／ＤＬ設定が１の場合）を示す概念図である。
【図９】ＴＤＤセルがプライマリセルである場合のＦＤＤセカンダリセルのＤＬ−ＵＬ対応関係（すなわち、「方法２−５」でＴＤＤセルのＵＬ／ＤＬ設定が２の場合）を示す概念図である。
【図１０】ＴＤＤセルがプライマリセルである場合のＦＤＤセカンダリセルのＤＬ−ＵＬ対応関係（すなわち、「方法２−５」でＴＤＤセルのＵＬ／ＤＬ設定が３の場合）を示す概念図である。
【図１１】ＴＤＤセルがプライマリセルである場合のＦＤＤセカンダリセルのＤＬ−ＵＬ対応関係（すなわち、「方法２−５」でＴＤＤセルのＵＬ／ＤＬ設定が４の場合）を示す概念図である。
【図１２】ＴＤＤセルがプライマリセルである場合のＦＤＤセカンダリセルのＤＬ−ＵＬ対応関係（すなわち、「方法２−５」でＴＤＤセルのＵＬ／ＤＬ設定が５の場合）を示す概念図である。
【図１３】ＴＤＤセルがプライマリセルである場合のＦＤＤセカンダリセルのＤＬ−ＵＬ対応関係（すなわち、「方法２−５」でＴＤＤセルのＵＬ／ＤＬ設定が６の場合）を示す概念図である。
【図１４】ＴＤＤセルがプライマリセルである場合のＦＤＤセカンダリセルのＤＬ−ＵＬ対応関係（すなわち、「方法２−７」でＴＤＤセルのＵＬ／ＤＬ設定が０の場合）を示す概念図である。
【図１５】ＴＤＤセルがＦＤＤセルによりクロスキャリアスケジューリングされた場合のＴＤＤセルのＰＵＳＣＨ伝送対応関係（すなわち、「方法３−１」でＴＤＤセルのＵＬ／ＤＬ設定が０の場合）を示す概念図である。
【図１６】ＴＤＤセルがＦＤＤセルによりクロスキャリアスケジューリングされた場合のＴＤＤセルのＰＵＳＣＨ伝送対応関係（すなわち、「方法３−２」でＴＤＤセルのＵＬ／ＤＬ設定が１の場合）を示す概念図である。
【図１７】ＦＤＤセルがＴＤＤセルによりクロスキャリアスケジューリングされた場合のＦＤＤセルのＰＵＳＣＨ伝送対応関係（すなわち、「方法３−５」でＴＤＤ  ＵＬ／ＤＬ設定が１の場合）を示す概念図である。
【図１８】ＦＤＤセルがＴＤＤセルによりクロスキャリアスケジューリングされた場合のＦＤＤセルのＰＵＳＣＨ伝送対応関係（すなわち、「方法３−５」でＴＤＤ  ＵＬ／ＤＬ設定が５の場合）を示す概念図である。
【図１９】ＦＤＤセルがＴＤＤセルによりクロスキャリアスケジューリングされた場合のＦＤＤセルのＰＵＳＣＨ伝送対応関係（すなわち、「方法３−６」でＴＤＤ  ＵＬ／ＤＬ設定が１の場合）を示す概念図である。
【図２０】ＦＤＤセルがＴＤＤセルによりクロスキャリアスケジューリングされた場合のＦＤＤセルのＰＵＳＣＨ伝送対応関係（すなわち、「方法３−７」でＴＤＤ  ＵＬ／ＤＬ設定が５の場合）を示す概念図である。
【図２１】ＦＤＤセルがＴＤＤセルによりクロスキャリアスケジューリングされた場合のＦＤＤセルのＰＵＳＣＨ伝送対応関係（すなわち、「方法３−１２」でＴＤＤ  ＵＬ／ＤＬ設定が１の場合）を示す概念図である。
【図２２】ＦＤＤセルがＴＤＤセルによりクロスキャリアスケジューリングされた場合のＦＤＤセルのＰＵＳＣＨ伝送対応関係（すなわち、「方法３−１２」でＴＤＤ  ＵＬ／ＤＬ設定が３の場合）を示す概念図である。
【発明を実施するための最良の形態】
【００２９】
本発明は、多様な変更を加えることができると共に、多様な実施形態を有することができるため、特定の実施形態を図示しながら詳細に説明する。
【００３０】
しかしながら、これが本発明を特定の実施形態に限定しようとするものでなく、本発明の思想及び技術範囲に含まれる全ての変更、均等物ないし代替物を含むものであることを理解しなければならない。
【００３１】
「第１、第２」などの用語は、多様な構成要素を説明するために用いられるが、前記構成要素が前記用語によって限定されない。前記用語は１つの構成要素を他の構成要素から区別する目的だけで用いられる。例えば、本発明の権利範囲を逸脱せず、第１構成要素は第２構成要素と命名され、類似に第２構成要素も第１構成要素と命名され得る。「及び／または」の用語は、複数の関連項目の組み合わせまたは複数の関連項目のいずれかの項目を含む。
【００３２】
ある構成要素が他の構成要素に「連結されて」あるとか、または「接続されて」あると言及された場合には、その他の構成要素に直接に連結されているか、または接続されていてもよいが、間に他の構成要素が存在し得ることも理解すべきである。一方、ある構成要素が他の構成要素に「直接連結されて」あるとか「直接接続されて」あると言及された場合には、間に他の構成要素が存在しないものと理解すべきである。
【００３３】
本出願で用いる用語は、単に特定の実施形態を説明するために用いられたもので、本発明を限定しようとする意図はない。単数の表現は文脈上明白に異なる意味を有しない限り、複数の表現をも含む。本出願において、「含む」または「有する」などの用語は、明細書上に記載された特徴、数字、段階、動作、構成要素、部品またはこれを組み合わせたものが存在することを指定するものであって、１つまたはそれ以上の他の特徴や数字、段階、動作、構成要素、部品またはこれを組み合わせたものなどの存在または付加の可能性を予め排除しないものと理解すべきである。
【００３４】
他に定義しない限り、技術的や科学的な用語を含み、ここで用いられる全ての用語は、本発明が属する技術分野で通常の知識を有する者によって一般的に理解されることと同じ意味を有する。一般に用いられる、事前に定義されているような用語は関連技術の文脈上に有する意味と同じ意味を有するものと解釈しなければならなく、本出願で明白に定義しない限り、理想的または過度に形式的な意味に解釈されない。
【００３５】
以下、添付図面を参照しながら、本発明の好適な実施形態をより詳細に説明する。本発明を説明において、全体的な理解を容易とするために図面上の同一構成要素に対しては同一参照符号を使用し、同一構成要素についての重複説明は省略する。
【００３６】
明細書において、綱（ｎｅｔｗｏｒｋ）は、例えば、ＷｉＦｉ（ｗｉｒｅｌｅｓｓ  ｆｉｄｅｌｉｔｙ）のような無線インターネット、ＷｉＢｒｏ（ｗｉｒｅｌｅｓｓ  ｂｒｏａｄｂａｎｄ  ｉｎｔｅｒｎｅｔ）またはＷｉＭａｘ（ｗｏｒｌｄ  ｉｎｔｅｒｏｐｅｒａｂｉｌｉｔｙ  ｆｏｒ  ｍｉｃｒｏｗａｖｅ  ａｃｃｅｓｓ）のような携帯インターネット、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎ）またはＣＤＭＡ（ｃｏｄｅ  ｄｉｖｉｓｉｏｎ  ｍｕｌｔｉｐｌｅ  ａｃｃｅｓｓ）のような第２世代移動通信システム、ＷＣＤＭＡ（登録商標）（ｗｉｄｅｂａｎｄ  ｃｏｄｅ  ｄｉｖｉｓｉｏｎ  ｍｕｌｔｉｐｌｅ  ａｃｃｅｓｓ）またはＣＤＭＡ２０００のような第３世代移動通信システム、ＨＳＤＰＡ（ｈｉｇｈ  ｓｐｅｅｄ  ｄｏｗｎｌｉｎｋ  ｐａｃｋｅｔ  ａｃｃｅｓｓ）またはＨＳＵＰＡ（ｈｉｇｈ  ｓｐｅｅｄ  ｕｐｌｉｎｋ  ｐａｃｋｅｔ  ａｃｃｅｓｓ）のような第３．５世代移動通信システム、ＬＴＥ（ｌｏｎｇ  ｔｅｒｍ  ｅｖｏｌｕｔｉｏｎ）綱またはＬＴＥ−Ａｄｖａｎｃｅｄネットワークのような第４世代移動通信システム、及び第５世代移動通信システムなどを含むことができる。
【００３７】
明細書において、端末（ｔｅｒｍｉｎａｌ）は、移動局（ｍｏｂｉｌｅ  ｓｔａｔｉｏｎ）、移動端末（ｍｏｂｉｌｅ  ｔｅｒｍｉｎａｌ）、加入者局（ｓｕｂｓｃｒｉｂｅｒ
ｓｔａｔｉｏｎ）、携帯加入者局（ｐｏｒｔａｂｌｅ  ｓｕｂｓｃｒｉｂｅｒ  ｓｔａｔｉｏｎ）、使用者装置（ｕｓｅｒ  ｅｑｕｉｐｍｅｎｔ）、接近端末（ａｃｃｅｓｓ  ｔｅｒｍｉｎａｌ）などを指称してもよく、端末、移動局、移動端末、加入者局、携帯加入者局、使用者装置、接近端末などの全部または一部の機能を含んでもよい。
【００３８】
ここで、端末として、通信が可能なデスクトップコンピュータ（ｄｅｓｋｔｏｐ  ｃｏｍｐｕｔｅｒ）、ラップトップコンピュータ（ｌａｐｔｏｐ  ｃｏｍｐｕｔｅｒ）、タブレット（ｔａｂｌｅｔ）ＰＣ、無線電話機（ｗｉｒｅｌｅｓｓ  ｐｈｏｎｅ）、携帯電話（ｍｏｂｉｌｅ  ｐｈｏｎｅ）、スマートフォン（ｓｍａｒｔ  ｐｈｏｎｅ）、スマートウォッチ（ｓｍａｒｔ  ｗａｔｃｈ）、スマートガラス（ｓｍａｒｔ  ｇｌａｓｓ）、電子書籍リーダ、ＰＭＰ（ｐｏｒｔａｂｌｅ  ｍｕｌｔｉｍｅｄｉａ  ｐｌａｙｅｒ）、携帯ゲーム機、ナビゲーション（ｎａｖｉｇａｔｉｏｎ）装置、デジタルカメラ（ｄｉｇｉｔａｌ  ｃａｍｅｒａ）、ＤＭＢ（ｄｉｇｉｔａｌ  ｍｕｌｔｉｍｅｄｉａ  ｂｒｏａｄｃａｓｔｉｎｇ）再生機、デジタル音声録音機（ｄｉｇｉｔａｌ  ａｕｄｉｏ  ｒｅｃｏｒｄｅｒ）、デジタル音声再生機（ｄｉｇｉｔａｌ  ａｕｄｉｏ  ｐｌａｙｅｒ）、デジタル映像録画器（ｄｉｇｉｔａｌ  ｐｉｃｔｕｒｅ  ｒｅｃｏｒｄｅｒ）、デジタル映像再生機（ｄｉｇｉｔａｌ  ｐｉｃｔｕｒｅ  ｐｌａｙｅｒ）、デジタル動画録画器（ｄｉｇｉｔａｌ  ｖｉｄｅｏ  ｒｅｃｏｒｄｅｒ）、デジタル動画再生機（ｄｉｇｉｔａｌ  ｖｉｄｅｏ  ｐｌａｙｅｒ）などを用いられる。
【００３９】
明細書において、基地局（ｂａｓｅ  ｓｔａｔｉｏｎ）は、アクセスポイント（ａｃｃｅｓｓ  ｐｏｉｎｔ）、無線アクセス局（ｒａｄｉｏ  ａｃｃｅｓｓ  ｓｔａｔｉｏｎ）、ノードＢ（ｎｏｄｅ  Ｂ）、高度化ノードＢ（ｅｖｏｌｖｅｄ  ｎｏｄｅＢ）、送受信基地局（ｂａｓｅ  ｔｒａｎｓｃｅｉｖｅｒ  ｓｔａｔｉｏｎ）、ＭＭＲ（ｍｏｂｉｌｅ
ｍｕｌｔｉｈｏｐ  ｒｅｌａｙ）−ＢＳなどを指称してもよく、基地局、アクセスポイント、無線アクセス局、ノードＢ、ｅＮｏｄｅＢ、送受信基地局、ＭＭＲ−ＢＳなどの全部または一部の機能を含んでもよい。
【００４０】
図１は、本発明に係る方法を実行する端末の一実施形態を示すブロック図である。
【００４１】
図１において、端末１０は、少なくとも１つのプロセッサ１１、メモリ１２及びネットワーク２０に接続されて通信を行うネットワークインタフェース装置１３を含むことができる。また、端末１０は、入力インタフェース装置１４、出力インタフェース装置１５、保存装置１６などをさらに含むことができる。端末１０に含まれたそれぞれの構成は、バス（ｂｕｓ）１７により接続されて互いに通信を行うことができる。
【００４２】
プロセッサ１１は、メモリ１２及び／または保存装置１６に保存されたプログラム命令を行うことができる。プロセッサ１１は、中央処理装置（ｃｅｎｔｒａｌ  ｐｒｏｃｅｓｓｉｎｇ  ｕｎｉｔ、ＣＰＵ）、グラフィック処理装置（ｇｒａｐｈｉｃｓ  ｐｒｏｃｅｓｓｉｎｇ  ｕｎｉｔ、ＧＰＵ）、本発明に係る方法が実行される専用のプロセッサを意味する。メモリ１２と保存装置１６は、揮発性保存媒体及び／または不揮発性保存媒体で構成され得る。例えば、メモリ１２は、読み出し専用メモリ（ｒｅａｄ  ｏｎｌｙ  ｍｅｍｏｒｙ、ＲＯＭ）及び／またはランダムアクセスメモリ（ｒａｎｄｏｍ  ａｃｃｅｓｓ
ｍｅｍｏｒｙ、ＲＡＭ）で構成され得る。
【００４３】
次に、ＬＴＥ−ＴＤＤ（ｔｉｍｅ  ｄｉｖｉｓｉｏｎ  ｄｕｐｌｅｘ）モードのフレーム構造及び基本的な運用方式を説明する。
【００４４】
下記表１のように、ＬＴＥ−ＴＤＤモードにおいては、合計７個の上りリンク（ｕｐｌｉｎｋ、ＵＬ）／下りリンク（ｄｏｗｎｌｉｎｋ、ＤＬ）設定（ｃｏｎｆｉｇｕｒａｔｉｏｎ）が存在し得る。
【００４５】
【表１】
2019110600.tif 000003
【００４６】
表１は、ＬＴＥ−ＴＤＤモードの各設定でＤＬ−ＵＬ対応関係を示す。ここで、「Ｄ」は下りリンクサブフレームを意味し、「Ｕ」は上りリンクサブフレームを意味し、「Ｓ」は特別サブフレームを意味する。特別サブフレームは下りリンク伝送のために用いられる。ＤＬ−ＵＬ対応関係は、ある上りリンクサブフレームを介してＨＡＲＱ（ｈｙｂｒｉｄ
ａｕｔｏｍａｔｉｃ  ｒｅｐｅａｔ  ｒｅｑｕｅｓｔ）−ＡＣＫが伝送される場合、ＨＡＲＱ−ＡＣＫに対応するＰＤＳＣＨ（ｐｈｙｓｉｃａｌ  ｄｏｗｎｌｉｎｋ  ｓｈａｒｅｄ  ｃｈａｎｎｅｌ）伝送または下りリンクＳＰＳ（ｓｅｍｉ−ｐｅｒｓｉｓｔｅｎｔ
ｓｃｈｅｄｕｌｉｎｇ）解除を指示するＰＤＣＣＨ（ｐｈｙｓｉｃａｌ  ｄｏｗｎｌｉｎｋ  ｃｏｎｔｒｏｌ  ｃｈａｎｎｅｌ）伝送がどの下りリンクサブフレームから発生したものかを示し得る。ＨＡＲＱ−ＡＣＫが上りリンクサブフレームｎを介して伝送される場合、ＨＡＲＱ−ＡＣＫに対応する下りリンクサブフレームがサブフレームｎ−ｋであれば、ｋは少なくとも１つの値で構成された集合Ｋの元素であってもよい。下記表２はＬＴＥ−ＴＤＤモードのための下りリンクアソシエーション集合インデックス（ａｓｓｏｃｉａｔｉｏｎ  ｓｅｔ  ｉｎｄｅｘ）Ｋ（｛ｋ０，ｋ１，…，ｋＭ−１｝）の例を示す。
【００４７】
【表２】
2019110600.tif 000004
【００４８】
ＬＴＥ−ＴＤＤモードの各ＵＬ／ＤＬ設定で下りリンク伝送に対するＤＬ−ＵＬ対応関係は、表１及び表２から獲得され得る。
【００４９】
図２は、ＬＴＥ−ＴＤＤモードのＵＬ／ＤＬ設定３でＤＬ−ＵＬ対応関係を示す概念図である。
【００５０】
図２において、ｎ番目の無線フレーム（ｒａｄｉｏ  ｆｒａｍｅ）中のサブフレーム１、５、６を介して伝送されたＰＤＳＣＨまたは下りリンクＳＰＳ解除を指示するＰＤＣＣＨに対応するＨＡＲＱ−ＡＣＫは、ｎ＋１番目の無線フレーム中のサブフレーム２を介して伝送され得る。
【００５１】
次に、ＬＴＥ−ＴＤＤモードとＬＴＥ−ＦＤＤ（ｆｒｅｑｕｅｎｃｙ  ｄｉｖｉｓｉｏｎ  ｄｕｐｌｅｘ）モードのジョイント（ｊｏｉｎｔ）動作について説明する。
【００５２】
ＤＬ参照ＵＬ／ＤＬ設定
ＬＴＥ−ＴＤＤモードで互いに異なるＵＬ／ＤＬ設定を有するキャリア（ｃａｒｒｉｅｒ）を用いるキャリアアグリゲーション（ｃａｒｒｉｅｒ  ａｇｇｒｅｇａｔｉｏｎ）システムにおいてＨＡＲＱ−ＡＣＫの伝送のためにＤＬ参照ＵＬ／ＤＬ設定が用いられる。
すなわち、端末は、あるセルの下りリンクサブフレームを介する受信と、これに対応するＨＡＲＱ−ＡＣＫの時間的関係を決定するためにＤＬ参照ＵＬ／ＤＬ設定を用いてもよい。
【００５３】
本発明でＦＤＤセルとＴＤＤセルにおいて構成されるキャリアアグリゲーションシステムにおいて端末がＨＡＲＱ−ＡＣＫを伝送する方法について説明する。複数のセル（または、キャリア）が端末のために設定された場合、設定されたセル中の１つのセルはプライマリ（ｐｒｉｍａｒｙ）セルに設定されていてもよく、残りセルはセカンダリ（ｓｅｃｏｎｄａｒｙ）セルに設定され得る。複数のセルを有する端末は常にプライマリセルのＰＵＣＣＨ（ｐｈｙｓｉｃａｌ  ｕｐｌｉｎｋ  ｃｏｎｔｒｏｌ  ｃｈａｎｎｅｌ）を介してＨＡＲＱ−ＡＣＫを伝送し得る。一方、セカンダリセルを介して伝送されるＰＤＳＣＨ／ＰＵＳＣＨ（ｐｈｙｓｉｃａｌ  ｕｐｌｉｎｋ  ｓｈａｒｅｄ  ｃｈａｎｎｅｌ）のスケジューリングを指示するＰＤＣＣＨ／ＥＰＤＣＣＨ（ｅｎｈａｎｃｅｄ  ＰＤＣＣＨ）は他のセルを介して伝送され得る。このような方式のスケジューリングをクロスキャリアスケジューリング（ｃｒｏｓｓ−ｃａｒｒｉｅｒ  ｓｃｈｅｄｕｌｉｎｇ）とする。クロスキャリアスケジューリングが実行される場合、ＣＩＦ（ｃａｒｒｉｅｒ  ｉｎｄｉｃａｔｏｒ  ｆｉｅｌｄ）は端末のＤＣＩ（ｄｏｗｎｌｉｎｋ  ｃｏｎｔｒｏｌ  ｉｎｆｏｒｍａｔｉｏｎ）に含まれ、端末はＣＩＦ値をベースに複数のセルのうちからＤＣＩのスケジューリング対象のセルを確認することができる。
【００５４】
ＦＤＤセルがプライマリセルであって、ＴＤＤセルがセカンダリセルである場合
ＦＤＤプライマリセルのＤＬ参照ＵＬ／ＤＬ設定は、ＦＤＤプライマリセルのＵＬ／ＤＬ設定から選択され得る。これはＦＤＤプライマリセルに対して既存ＦＤＤ  ＨＡＲＱ−ＡＣＫタイミング（ｔｉｍｉｎｇ）が適用されることを意味する。すなわち、ＦＤＤセルの下りリンクサブフレームｎにスケジューリングされたＰＤＳＣＨまたは下りリンクＳＰＳ解除を指示するＰＤＣＣＨに対応するＨＡＲＱ−ＡＣＫは上りリンクサブフレームｎ＋４を介して伝送され得る。
【００５５】
次に、ＴＤＤセカンダリセルがＦＤＤプライマリセルによりクロスキャリアスケジューリングされた場合のＴＤＤセカンダリセルのＤＬ−ＵＬ対応関係を決定する方法について説明する。
【００５６】
クロスキャリアスケジューリングを用いる場合もＴＤＤセカンダリセルの全ての「Ｄ」と「Ｓ」に常に対応するＦＤＤの下りリンクサブフレームが存在するので、ＴＤＤセカンダリセルの全ての「Ｄ」と「Ｓ」はＰＤＳＣＨ伝送のために用いられる。
【００５７】
（方法１−１）
ＴＤＤセカンダリセルのＵＬ／ＤＬ設定は、ＴＤＤセカンダリセルのＤＬ参照ＵＬ／ＤＬ設定から選択され得る。すなわち、「方法１−１」は、ＴＤＤセルのＵＬ／ＤＬ設定によって規定されるＤＬ−ＵＬサブフレームの対応関係をそのまま用いることを意味する。
ＴＤＤセルにおいて１つの上りリンクサブフレームは少なくとも１つの下りリンクサブフレームと対応し得る。ＴＤＤセルのＵＬ／ＤＬ設定０及び６を除いた残りの設定で１つの上りリンクサブフレームは複数の下りリンクサブフレームと対応し得る。ここで、ＦＤＤセルを介して伝送されるＨＡＲＱ−ＡＣＫが追加されるので、特定上りリンクサブフレームを介して伝送されるＨＡＲＱ−ＡＣＫビットの個数はさらに増えることができる。これによって、ＦＤＤ上りリンクサブフレームが十分活用できない場合も有る。
【００５８】
図３は、ＦＤＤセルがプライマリセルである場合のＴＤＤセカンダリセルのＤＬ−ＵＬ対応関係（すなわち、「方法１−１」でＴＤＤセルのＵＬ／ＤＬ設定が１の場合）を示す概念図である。
【００５９】
図３において、ＦＤＤセルがプライマリセルでＴＤＤセルのＵＬ／ＤＬ設定が１であって、ＴＤＤセカンダリセルのＵＬ／ＤＬ設定がＴＤＤセカンダリセルのＤＬ参照ＵＬ／ＤＬ設定で選択された場合（すなわち、方法１−１）、ＤＬ−ＵＬ対応関係が示される。ＴＤＤセルの「Ｄ」と「Ｓ」に対応するＨＡＲＱ−ＡＣＫは、ＦＤＤセルの上りリンクサブフレーム２、３、７、８だけでマッピング（ｍａｐｐｉｎｇ）されるので、ＦＤＤ上りリンクサブフレームが十分活用されない場合も有る。
【００６０】
（方法１−２）
ＴＤＤセルは、ＦＤＤセルと同様に取り扱い得る。すなわち、ＴＤＤセルのサブフレームｎを介して伝送されたＰＤＳＣＨまたは下りリンクＳＰＳ解除を指示するＰＤＣＣＨに対応するＨＡＲＱ−ＡＣＫは上りリンクサブフレームｎ＋４を介して伝送され得る。「方法１−２」によれば、２つのＦＤＤセルで構成されたキャリアアグリゲーションからＨＡＲＱ−ＡＣＫが伝送されるような形態であってもよい。すなわち、「方法１−２」によれば、「方法１−１」に比べてＨＡＲＱ−ＡＣＫの伝送が相対的に多くの上りリンクサブフレームに分散することができる。また、クロスキャリアスケジューリングが用いられるためにチャネル選択とＰＵＣＣＨフォーマット１ｂ（ＰＵＣＣＨ  ｆｏｒｍａｔ  １ｂ  ｗｉｔｈ  ｃｈａｎｎｅｌ  ｓｅｌｅｃｔｉｏｎ）方式に伝送するためのＰＵＣＣＨ資源は、既存２つのＦＤＤセルに構成されたキャリアアグリゲーションでチャネル選択とＰＵＣＣＨフォーマット１ｂ方式と同一の方式に割り当てられ、割り当てられたＰＵＣＣＨ資源を介して同一の方式でＨＡＲＱ−ＡＣＫが伝送され得る。ＰＵＣＣＨフォーマット３が用いられる場合にも、既存２つのＦＤＤセルに構成されたキャリアアグリゲーションでＰＵＣＣＨがフォーマット３に設定された際に端末が用いるＨＡＲＱ−ＡＣＫ伝送方式と同様にＨＡＲＱ−ＡＣＫが伝送され得る。
【００６１】
図４は、ＦＤＤセルがプライマリセルである場合のＴＤＤセカンダリセルのＤＬ−ＵＬ対応関係（すなわち、「方法１−２」でＵＬ／ＤＬ設定が１の場合）を示す概念図である。
【００６２】
図４において、ＦＤＤセルがプライマリセルであり、ＴＤＤセルのＵＬ／ＤＬ設定が１であり、ＴＤＤセカンダリセルがＦＤＤセルのＤＬ−ＵＬの対応関係を用いる場合（すなわち、方法１−２）、ＤＬ−ＵＬの対応関係を示す。すなわち、ＴＤＤセルの「Ｄ」と「Ｓ」に対応するＨＡＲＱ−ＡＣＫは、上りリンクサブフレーム４、５、８、９、０、３に分散して伝送され得る。「方法１−２」によれば、「方法１−１」に比べてより多いＦＤＤセルの上りリンクサブフレームがＨＡＲＱ−ＡＣＫ伝送に用いられる。参照に、ＬＴＥ規格によると、ＨＡＲＱ−ＡＣＫ伝送がＰＵＣＣＨを介して実行される場合、ＨＡＲＱ−ＡＣＫは常にプライマリセルを介して伝送され得る。
【００６３】
さらに、「方法１−２」によれば、端末はＴＤＤセルの一部の「Ｕ」が「Ｄ」に変更された場合、「Ｕ」から「Ｄ」に変更されたサブフレームｎに対応するＨＡＲＱ−ＡＣＫを上りリンクサブフレームｎ＋４を介して伝送し得る。すなわち、ＰＵＣＣＨを介してＨＡＲＱ−ＡＣＫが伝送される場合、ＨＡＲＱ−ＡＣＫはＦＤＤセルの上りリンクサブフレームｎ＋４を介して伝送され得る。
【００６４】
次に、ＴＤＤセカンダリセルに対してＣＩＦが設定されず、クロスキャリアスケジューリングが用いられない場合、ＴＤＤセカンダリセルのＤＬ−ＵＬの対応関係を決定する方法について説明する。
【００６５】
クロスキャリアスケジューリングを用いることができないので、ＴＤＤセルでセルフスケジューリング（ｓｅｌｆ−ｓｃｈｅｄｕｌｉｎｇ）が実行され得る。しかし、ＦＤＤセルがプライマリセルである場合のＴＤＤセカンダリセル中のＰＤＳＣＨ伝送が可能なサブフレームは、前述したクロスキャリアスケジューリングが用いられた場合と同様である。
よって、下記のように２つの方法が考慮され得る。
【００６６】
（方法１−３）
ＴＤＤセルのＵＬ／ＤＬ設定は、ＴＤＤセルのＤＬ参照ＵＬ／ＤＬの設定から選択され得る。
【００６７】
（方法１−４）
ＴＤＤセルの下りリンクサブフレームｎを介して伝送されたＰＤＳＣＨまたは下りリンクＳＰＳ解除を指示するＰＤＣＣＨに対応するＨＡＲＱ−ＡＣＫは、ＦＤＤセルの上りリンクサブフレームｎ＋４を介して伝送され得る。
【００６８】
「方法１−３」によれば、１つの上りリンクサブフレームにマッピングされるＨＡＲＱ−ＡＣＫの個数は「方法１−４」に比べて多くてもよい。
【００６９】
ＴＤＤセルがプライマリセルであって、ＦＤＤセルがセカンダリセルである場合
次に、ＴＤＤセルがプライマリセルであり、ＦＤＤセルがセカンダリセルである場合に端末の動作について説明する。ＴＤＤプライマリセルのＤＬ参照ＵＬ／ＤＬ設定はＴＤＤプライマリセルのＵＬ／ＤＬ設定から選択され得る。
【００７０】
次に、ＦＤＤセカンダリセルのためのＤＬ−ＵＬ対応関係を決定する方法が記述される。ここで、ＤＬ−ＵＬの対応関係は、いずれかの上りリンクサブフレームを介してＨＡＲＱ−ＡＣＫが伝送される場合、ＨＡＲＱ−ＡＣＫに対応するＰＤＳＣＨまたは下りリンクＳＰＳ解除を指示するＰＤＣＣＨがいずれかの下りリンクサブフレームを介して伝送されるかを決定する関係を意味する。ＨＡＲＱ−ＡＣＫが上りリンクサブフレームｎを介して伝送される場合、ＨＡＲＱ−ＡＣＫに対応する下りリンクサブフレームがｎ−ｋとして定義されると、ｋは、少なくとも１つの値で構成された集合の元素であってもよい。
【００７１】
次に、ＦＤＤセカンダリセルに対してＣＩＦが設定されず、クロスキャリアスケジューリングが用いられない場合、ＦＤＤセカンダリセルのＤＬ−ＵＬ対応関係を決定する方法について説明する。
【００７２】
（方法２−１）
ＦＤＤセカンダリセルに既存の単一ＦＤＤセルで用いたＤＬ−ＵＬ対応関係が用いられる。既存の単一ＦＤＤセルで用いたＤＬ−ＵＬ対応関係は、全ての下りリンクサブフレームｎに対応するＨＡＲＱ−ＡＣＫが上りリンクサブフレームｎ＋４を介して伝送されることを意味する。しかし、「方法２−１」によれば、ＦＤＤセルの下りリンクサブフレームｎに対応するＨＡＲＱ−ＡＣＫは、ＴＤＤセルのサブフレームｎ＋４を介して伝送されるべきであるが、ＴＤＤセルのサブフレームｎ＋４は上りリンクサブフレームに該当しなくてもよい。もし、ＴＤＤセルのサブフレームｎ＋４が下りリンクサブフレームまたは特別サブフレームである場合、ＨＡＲＱ−ＡＣＫはＰＵＣＣＨを介して伝送されなくてもよい。ＨＡＲＱ−ＡＣＫが伝送されない場合、ＨＡＲＱ−ＡＣＫに対応する下りリンクサブフレームを介するＰＤＳＣＨ伝送や下りリンクＳＰＳ解除を指示するＰＤＣＣＨ伝送が意味ないので、ＰＤＳＣＨとＰＤＣＣＨは伝送されなくてもよい。すなわち、ＴＤＤ  ＵＬ／ＤＬ設定に対して下りリンクスケジューリングが可能なＦＤＤセルのサブフレームを一部サブフレームとして限定し得る。
【００７３】
（方法２−２）
ＦＤＤセカンダリセルでＴＤＤプライマリセルのＵＬ／ＤＬ設定は、ＤＬ参照ＵＬ／ＤＬ設定から選択され得る。これはＴＤＤセルの参照設定のＤＬ−ＵＬサブフレーム対応関係がＦＤＤセルに適用されることを意味する。すなわち、ＦＤＤセルにＴＤＤセルのＤＬ−ＵＬ対応関係が適用されることを意味する。しかし、「方法２−２」によってもＦＤＤセルが下りリンクサブフレームであって、ＴＤＤプライマリセルが上りリンクサブフレームである場合、該ＦＤＤセルの下りリンクサブフレームとＴＤＤセルの上りリンクサブフレームとの間のＤＬ−ＵＬ対応関係が存在しなくてもよい。すなわち、対応関係がないＦＤＤ下りリンクサブフレームが用いられないので、ＦＤＤ下りリンクサブフレーム中の一部下りリンクサブフレームだけが用いられる。
【００７４】
次に、ＦＤＤセカンダリセルでＣＩＦが設定され、ＴＤＤプライマリセルでクロスキャリアスケジューリングが用いられる場合、ＦＤＤセカンダリセルのＤＬ−ＵＬ対応関係を決定する方法について説明する。
【００７５】
（方法２−３）
ＦＤＤセカンダリセルでＴＤＤプライマリセルのＵＬ／ＤＬ設定は、ＤＬ参照ＵＬ／ＤＬ設定から選択され得る。これは、ＴＤＤセルの参照設定のＤＬ−ＵＬサブフレーム対応関係がＦＤＤセルに適用されることを意味する。すなわち、ＦＤＤセルにＴＤＤセルのＤＬ−ＵＬ対応関係が適用されることを意味する。しかし、「方法２−３」によってもＦＤＤセルが下りリンクサブフレームであって、ＴＤＤプライマリセルが上りリンクサブフレームである場合、該ＦＤＤセルの下りリンクサブフレームとＴＤＤセルの上りリンクサブフレームとの間のＤＬ−ＵＬ対応関係が存在しなくてもよい。さらに、現在ＬＴＥ規格においてクロスキャリアスケジューリングは、ＴＤＤセルとＦＤＤセルが全て下りリンクであるサブフレームでのみ可能であるので、ＴＤＤセルのＵＬ／ＤＬ設定によりＦＤＤセルの一部下りリンクサブフレームでＰＤＳＣＨスケジューリングが可能であって、残り下りリンクサブフレームでＰＤＳＣＨスケジューリングが不可能となる場合がある。
【００７６】
図５は、ＴＤＤセルがプライマリセルである場合、ＦＤＤセカンダリセルのＤＬ−ＵＬ対応関係（すなわち、「方法２−３」でＵＬ／ＤＬ設定が３の場合）を示す概念図である。
【００７７】
図５において、ＴＤＤセルがプライマリセルであり、ＦＤＤセルがセカンダリセルであり、ＴＤＤセルのＵＬ／ＤＬ設定が３であり、ＴＤＤセルのＵＬ／ＤＬ設定がＦＤＤセカンダリセルのＤＬ参照ＵＬ／ＤＬ設定で選択された場合のＤＬ−ＵＬの対応関係を示す。
ＦＤＤセルの一部下りリンクサブフレーム（すなわち、サブフレーム２、３、４）は端末のためにスケジューリングされなくてもよい。
【００７８】
下記は、前述の「方法２−１」、「方法２−２」及び「方法２−３」の問題を解決するための方法である。
【００７９】
−複数のサブフレームスケジューリング（ｍｕｌｔｉ−ｓｕｂｆｒａｍｅ  ｓｃｈｅｄｕｌｉｎｇ）を導入する。
【００８０】
−ＦＤＤセカンダリセルのＤＬ参照ＵＬ／ＤＬ設定を端末毎に設定し、端末間にＤＬ参照ＵＬ／ＤＬ設定を互いに異なるように設定することが可能とする。
【００８１】
−既存ＴＤＤセルのＵＬ／ＤＬ設定を確張してＴＤＤプライマリセルの上りリンクサブフレームを全て使用し、ＦＤＤセルの下りリンクサブフレームを全て用いられるようにする。
【００８２】
次に、既存ＴＤＤセルのＵＬ／ＤＬ設定を確張してＴＤＤプライマリセルの上りリンクサブフレームを全て使用し、ＦＤＤセルの下りリンクサブフレームを全て用いられる方法について説明する。
【００８３】
まず、ＦＤＤセカンダリセルが、他のＴＤＤプライマリセルによりクロスキャリアスケジューリングされない場合、ＦＤＤセカンダリセルのＤＬ−ＵＬ対応関係を決定する方法について説明する。
【００８４】
（方法２−４）
ＨＡＲＱ−ＡＣＫタイミングを維持するＦＤＤセルの下りリンクサブフレームが用いられる。すなわち、サブフレームｎ＋４でＴＤＤセルのサブフレームが上りリンクサブフレームである場合にＴＤＤセルの上りリンクサブフレームを介してＨＡＲＱ−ＡＣＫが伝送されるので、ＦＤＤセルの下りリンクサブフレームｎを介してＰＤＳＣＨが伝送され得る。一方、サブフレームｎ＋４でＴＤＤセルのサブフレームが上りリンクサブフレームでない場合、ＴＤＤセルを介してＨＡＲＱ−ＡＣＫが伝送されないので、ＦＤＤセルの一部下りリンクサブフレームに対して新たなＤＬ−ＵＬ対応関係が追加され得る。
【００８５】
図６は、ＴＤＤセルがプライマリセルである場合、ＦＤＤセカンダリセルのＤＬ−ＵＬ対応関係（すなわち、「方法２−４」でＵＬ／ＤＬ設定が０の場合）を示す概念図である。
【００８６】
図６において、サブフレームｎが、ＦＤＤセルの下りリンクサブフレームであり、サブフレームｎ＋４がＴＤＤセルの上りリンクサブフレームでない場合（すなわち、ＦＤＤセルの下りリンクサブフレーム１、２、６、７）、ＨＡＲＱ−ＡＣＫは、サブフレームｎ＋４以後の最も近い時間に存在するＴＤＤセルの上りリンクサブフレームを介して伝送され得る。
【００８７】
下記表３は、ＦＤＤセカンダリセルのための下りリンク関係性集合インデックスＫ（｛ｋ０，ｋ１，…，ｋＭ−１｝）の例を示す。すなわち、表３は、「方法２−４」を介して獲得したＴＤＤプライマリセルのＵＬ／ＤＬ設定によるＦＤＤセカンダリセルの下りリンクＨＡＲＱタイミングの例を示す。ここで、ＰＤＳＣＨとこれに対する応答であるＨＡＲＱ−ＡＣＫとの間の伝送時間間隔は可能な最小値となるように設定され得る。
【００８８】
【表３】
2019110600.tif 000005
【００８９】
（方法２−５）
ＦＤＤセカンダリセルでＴＤＤプライマリセルのＵＬ／ＤＬ設定を含む新たなＤＬ参照ＵＬ／ＤＬ設定が用いられる。これは、該ＴＤＤ参照設定のＤＬ−ＵＬサブフレームの対応関係がＦＤＤセルに適用され、ＴＤＤセルのＤＬ−ＵＬ対応関係によって規定されないＦＤＤセルの下りリンクサブフレームに対して新たな対応関係が規定される方法である。
【００９０】
図７は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が０の場合）を示す概念図であり、図８は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が１の場合）を示す概念図であり、図９は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が２の場合）を示す概念図であり、図１０は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が３の場合）を示す概念図であり、図１１は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が４の場合）を示す概念図であり、図１２は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が５の場合）を示す概念図であり、図１３は、ＴＤＤセルがプライマリセルである場合、ＦＤＤセカンダリセルのＤＬ−ＵＬ対応関係（すなわち、「方法２−５」でＴＤＤセルのＵＬ／ＤＬ設定が６の場合）を示す概念図である。
【００９１】
図７ないし図１３において、ＴＤＤセルがプライマリセルであり、ＦＤＤセルがセカンダリセルであり、ＴＤＤセルのＵＬ／ＤＬ設定が０から６までである場合「方法２−５」によるＦＤＤセルのＤＬ−ＵＬ対応関係が示される。ＦＤＤセカンダリセルでＴＤＤセルのＵＬ／ＤＬ設定がＦＤＤセルのＤＬ参照ＵＬ／ＤＬ設定として用いられ、ＦＤＤセルの全ての下りリンクサブフレームを介するＰＤＳＣＨ伝送が可能となるように追加的な対応関係が規定され得る。追加的な対応関係が規定される場合、任意の２つの下りリンクサブフレーム中の第１下りリンクサブフレームが第２下りリンクサブフレームより時間的に早ければ、第１下りリンクサブフレームに対応する上りリンクサブフレームは第２下りリンクサブフレームに対応する上りリンクサブフレームと同一のサブフレームまたは第２下りリンクサブフレームに対応する上りリンクサブフレームより時間的に早いサブフレームで設定され得る。これはスケジューリング優先順位を維持することを意味し、先に受信されたＰＤＳＣＨに対するＨＡＲＱ−ＡＣＫが、後に受信されたＰＤＳＣＨに対するＨＡＲＱ−ＡＣＫよりもさらに遅い時間に伝送されないようにすることができる。
【００９２】
このような対応関係が用いられる場合、端末がＰＤＳＣＨを復号するのに用いるＰＤＳＣＨ当たりの処理時間はＰＤＳＣＨ間に概して均等に配分され得る。さらに、上りリンク資源の効率的な使用のために１つの上りリンクサブフレームに対応する下りリンクサブフレームの個数が均等に配分されるように対応関係が規定されることが好ましい。ＵＬ／ＤＬ設定２、３、４、５の場合（すなわち、図９、図１０、図１１、図１２）、追加的な対応関係を規定すべくＦＤＤセルの下りリンクサブフレームに対応するＨＡＲＱ−ＡＣＫ伝送サブフレームが唯一に決定され得る。しかし、ＵＬ／ＤＬ設定０、１、６の場合（すなわち、図７、図８、図１３）、ＦＤＤセルの下りリンクサブフレームにマッピング可能な２つのＨＡＲＱ−ＡＣＫの伝送サブフレームが存在し、このとき、対応関係は前述した方法に基づいて決定され得る。
【００９３】
下記表４は、「方法２−５」によるＦＤＤセカンダリセルのための下りリンク関係性集合インデックスＫ（｛ｋ０，ｋ１，…，ｋＭ−１｝）の例を示す。すなわち、図７ないし図１３に示したＨＡＲＱタイミング関係を下りリンク関係性集合で示すと下記表４のようになる。
【００９４】
【表４】
2019110600.tif 000006
【００９５】
表４において、ＴＤＤプライマリセルのＵＬ／ＤＬ設定が０である場合にＴＤＤプライマリセルで上りリンクサブフレーム２、４、７、９だけがＨＡＲＱ−ＡＣＫ伝送のために用いられるように限定されると、下記表５のようなＨＡＲＱタイミング関係を獲得することができる。すなわち、上りリンクサブフレーム３、８は、ＨＡＲＱ−ＡＣＫ伝送のために用いられず、その代りに隣接する上りリンクサブフレームがＨＡＲＱ−ＡＣＫ伝送のために用いられる。表５は、ＦＤＤセカンダリセルのための下りリンク関係性集合インデックスＫ（｛ｋ０，ｋ１，…，ｋＭ−１｝）の例を示す。表５によると、ＴＤＤプライマリセルでＨＡＲＱ−ＡＣＫ伝送のために設定された上りリンクサブフレームだけが用いられるので、ＨＡＲＱ−ＡＣＫ資源を管理するのにおいて新たなサブフレームが考慮されなくてもよい。
【００９６】
【表５】
2019110600.tif 000007
【００９７】
一方、表４によれば、上りリンク資源の有効性観点からＨＡＲＱ−ＡＣＫ対応関係を配分する場合、ＴＤＤプライマリセルでＨＡＲＱ−ＡＣＫが同時に伝送される場合は考慮されず、ＦＤＤセカンダリセルの伝送だけが考慮される。ＴＤＤプライマリセルのＵＬ／ＤＬ設定が１の場合、ＴＤＤプライマリセルで下りリンク伝送に対するＨＡＲＱ−ＡＣＫはサブフレーム２、７を介して最大２つ伝送されることができ、サブフレーム３、８を介して最大１つ伝送され得る。よって、表４による方法が適用された場合のＴＤＤセルとＦＤＤセル両方に対するＨＡＲＱ−ＡＣＫはＴＤＤセルのサブフレーム２、７を介して最大５つ伝送されることができ、サブフレーム３、８を介して最大３つ伝送され得る。このように、サブフレーム２、７にＨＡＲＱ−ＡＣＫが集中される不均衡問題を解決するために、表４のタイミング関係による「方法２−５」でＴＤＤプライマリセルＵＬ／ＤＬ設定が１の場合、下記表６の対応関係が適用され得る。下記表６は、ＦＤＤセカンダリセルのための下りリンク関係性集合インデックスＫ（｛ｋ０，ｋ１，…，ｋＭ−１｝）の例を示す。
【００９８】
【表６】
2019110600.tif 000008
【００９９】
表４による方法において、ＴＤＤプライマリセルのＵＬ／ＤＬ設定が６の場合、ＦＤＤセカンダリセルの下りリンクサブフレーム４に対するＨＡＲＱ−ＡＣＫ伝送遅延時間は８ｍｓである。サブフレーム４に対するＨＡＲＱ−ＡＣＫの伝送遅延時間を減らすために下記表７のタイミング関係が適用され得る。この方法が適用された場合のＦＤＤセルのサブフレーム４を介して伝送されたＰＤＳＣＨに対するＨＡＲＱ−ＡＣＫは、ＴＤＤプライマリセルの上りリンクサブフレーム８を介して伝送されるので、遅延時間が４ｍｓに減るが、ＴＤＤプライマリセルの上りリンクサブフレーム８にＨＡＲＱ−ＡＣＫがさらに集中される問題がある。下記表７は、ＦＤＤセカンダリセルのための下りリンク関係性集合インデックスＫ（｛ｋ０，ｋ１，…，ｋＭ−１｝）の例を示す。
【０１００】
【表７】
2019110600.tif 000009
【０１０１】
下記表８は、「方法２−５」によるＦＤＤセカンダリセルのための下りリンク関係性集合インデックスＫ（｛ｋ０，ｋ１，…，ｋＭ−１｝）の例を示す。すなわち、表８は、「方法２−５」を適用して獲得したＴＤＤプライマリセルのＵＬ／ＤＬ設定によるＦＤＤセカンダリセルの下りリンクＨＡＲＱタイミングの他の例を示す。ここで、ＰＤＳＣＨとこれに対する応答であるＨＡＲＱ−ＡＣＫ間の伝送時間間隔は可能な最小になるように設定され得る。
【０１０２】
【表８】
2019110600.tif 000010
【０１０３】
（方法２−６）
ＦＤＤセカンダリセルの下りリンクサブフレームとＴＤＤプライマリセルの上りリンクサブフレームとの間に新たなＤＬ／ＵＬ対応関係が設定され得る。
【０１０４】
下記表９は、「方法２−６」によるＦＤＤセカンダリセルのための下りリンク関係性集合インデックスＫ（｛ｋ０，ｋ１，…，ｋＭ−１｝）の例を示す。すなわち、下記表９は、「方法２−６」を適用して獲得したＴＤＤプライマリセルのＵＬ／ＤＬ設定によるＦＤＤセカンダリセルの下りリンクＨＡＲＱタイミングの他の例を示す。ここで、上りリンクＨＡＲＱ−ＡＣＫは、ＴＤＤプライマリセルの上りリンクサブフレームに均等に分配されるように設定され得る。さらに、前述した方法と同様に、先に受信されたＰＤＳＣＨに対するＨＡＲＱ−ＡＣＫは、後に受信されたＰＤＳＣＨに対するＨＡＲＱ−ＡＣＫよりもさらに遅い時間に伝送されないように設定され得る。表９による方法によれば、表３、４及び８による方法に比べて上りリンク資源がより効率的に用いられるので、ＨＡＲＱ−ＡＣＫの受信性能が向上されるが、ＰＤＳＣＨとこれに対応するＨＡＲＱ−ＡＣＫ間の伝送時間間隔が他の表による方法よりも長くなる短所がある。
【０１０５】
【表９】
2019110600.tif 000011
【０１０６】
「方法２−６」のまた他の例として、下記表１０によるＤＬ−ＵＬ対応関係を適用する方法が考慮され得る。下記表１０は、「方法２−６」によるＦＤＤセカンダリセルのための下りリンク関係性集合インデックスＫ（｛ｋ０，ｋ１，…，ｋＭ−１｝）の他の例を示す。この方法では、既存ＬＴＥ規格においてＨＡＲＱ−ＡＣＫ伝送が可能なＴＤＤセルの上りリンクサブフレームのみを用いて対応関係が定義され得る。すなわち、既存ＬＴＥ規格と同様に、ＴＤＤプライマリセルのＵＬ／ＤＬ設定が０の場合、上りリンクサブフレーム３、８がＨＡＲＱ−ＡＣＫ伝送に用いられないように設定され得る。さらに、表９に適用された基準と同様に、上りリンクＨＡＲＱ−ＡＣＫがＴＤＤプライマリセルの上りリンクサブフレームに均等に分配されるように設定され、任意の２つの下りリンクサブフレーム中から、先に受信されたＰＤＳＣＨに対するＨＡＲＱ−ＡＣＫが、後に受信されたＰＤＳＣＨに対するＨＡＲＱ−ＡＣＫよりもさらに遅い時間に伝送されないように設定され得る。
【０１０７】
【表１０】
2019110600.tif 000012
【０１０８】
次に、ＦＤＤセカンダリセルにＣＩＦが設定され、ＴＤＤプライマリセルによってＦＤＤセルがクロスキャリアスケジューリングされる場合について説明する。
【０１０９】
クロスキャリアスケジューリング方式が用いられる場合、１つのキャリアを介して伝送されたＰＤＳＣＨスケジューリング情報は該サブフレームと対応する他のキャリアのＰＤＳＣＨをスケジューリングすることができる。すなわち、クロスキャリアスケジューリング方式がそのまま用いられるとＴＤＤプライマリセルの下りリンクサブフレームまたは特別サブフレームでのみＦＤＤセカンダリセルのＰＤＳＣＨがスケジューリングされる短所がある。
【０１１０】
このような短所にもかかわらず、クロスキャリアスケジューリング方式がそのまま用いられる場合、前述した方法のうち「方法２−５」が最も良い方法となる。具体的に、「方法２−５」でＴＤＤプライマリセルのＨＡＲＱタイミングが存在するので、クロスキャリアスケジューリング方式がＴＤＤプライマリセルの全ての下りリンクサブフレームと特別サブフレームに適用され、これによりＦＤＤセカンダリセルのＰＤＳＣＨがスケジューリングされ得る。一方、「方法２−４」により一部ＴＤＤセルの下りリンクサブフレームと特別サブフレームでクロスキャリアスケジューリング方式によりＦＤＤセルのＰＤＳＣＨをスケジューリングしようとする場合、ＴＤＤプライマリセルでＰＤＳＣＨに対応するＨＡＲＱ−ＡＣＫが伝送されるサブフレームが上りリンクサブフレームでない場合もあるので、ＰＤＳＣＨスケジューリングができない場合が発生し得る。
【０１１１】
（方法２−７）
ＴＤＤプライマリセルのＵＬ／ＤＬ設定がＦＤＤセカンダリセルのＤＬ参照設定として用いられ、複数のサブフレームスケジューリング方式またはクロスキャリアスケジューリング方式が用いられる。クロスキャリアスケジューリング方式が用いられる場合、現在のサブフレームだけでなく、次のいくつかのサブフレームもスケジューリングされ得る。
【０１１２】
図１４は、ＴＤＤセルがプライマリセルである場合、ＦＤＤセカンダリセルのＤＬ−ＵＬ対応関係（すなわち、「方法２−７」でＴＤＤセルのＵＬ／ＤＬ設定が０の場合）を示す概念図である。
【０１１３】
図１４において、ＴＤＤセルがプライマリセルであり、ＦＤＤセルがセカンダリセルであり、ＴＤＤセルのＵＬ／ＤＬ設定が０の場合、ＦＤＤセカンダリセルでＴＤＤセルのＵＬ／ＤＬ設定がＤＬ参照ＵＬ／ＤＬ設定として用いられる。さらに、クロスキャリアスケジューリング方式が用いられる場合、ＦＤＤセルの残り下りリンクサブフレーム中から現在サブフレームだけでなく、連続するいくつかの次のサブフレームもスケジューリングされていてもよい。
【０１１４】
ここで、ＴＤＤセルのサブフレーム１を介してＦＤＤセルの下りリンクサブフレーム１、２、３、４の全部または一部がスケジューリングされ、ＴＤＤセルのサブフレーム６を介してＦＤＤセルの下りリンクサブフレーム６、７、８、９の全部または一部がスケジューリングされ得る。このとき、ＦＤＤセルにスケジューリングされたＰＤＳＣＨとこれに対応するＨＡＲＱ−ＡＣＫとの間に追加的な対応関係が規定されなければならない。さらに、全てのＦＤＤセルの下りリンクサブフレームがスケジューリングされるためには、表１の全てのＴＤＤ  ＵＬ／ＤＬ設定を考慮した場合、同時にスケジューリング可能なサブフレームの個数が最小４つ以上にならなければならない。
【０１１５】
一方、ＰＤＳＣＨ及び下りリンクＳＰＳ解除を指示するＰＤＣＣＨ伝送に対するＨＡＲＱ−ＡＣＫがＰＵＳＣＨにピギーバック（ｐｉｇｇｙｂａｃｋ）されて伝送される場合、基地局はスケジューリングしたＰＤＳＣＨ及び下りリンクＳＰＳ解除を指示するＰＤＣＣＨの個数に対する情報を端末に知らせるために上りリンクグラント（ｇｒａｎｔ）に含まれた２ビットのＤＡＩ（ｄｏｗｎｌｉｎｋ  ａｓｓｉｇｎｍｅｎｔ  ｉｎｄｅｘ）フィールド（すなわち、表１１）を用いてもよい。下記表１１は、ＤＡＩの値を示す。ＬＴＥ−ＴＤＤモードで１つの上りリンクサブフレームを介して１つのキャリア当たり最大９個のＰＤＳＣＨと下りリンクＳＰＳ解除を指示するＰＤＣＣＨに対するＡＣＫまたはＮＡＣＫが伝送されるので（すなわち、ＵＬ／ＤＬ設定が５の場合）、下記表１１に従って端末はモジュールにより演算を介して２ビットの上りリンクＤＡＩ情報を介して最大９個の値を復号することができる。
【０１１６】
【表１１】
2019110600.tif 000013
【０１１７】
ＴＤＤプライマリセルとＦＤＤセカンダリセルで構成されたキャリアアグリゲーションベースの無線通信システムにおいて、ＨＡＲＱ−ＡＣＫ伝送時点にＦＤＤセルのＰＵＳＣＨが存在する場合、ＨＡＲＱ−ＡＣＫは、ＦＤＤセルのＰＵＳＣＨにピギーバックされて伝送され得る。この場合、基地局は各キャリアに割り当てられたＰＤＣＣＨの個数を端末に知らせるためにＦＤＤセルの上りリンクグラントにＤＡＩフィールドを導入することを考慮することができる。ＦＤＤセルのＤＡＩフィールドは、既存ＴＤＤセルのＤＡＩフィールドと同様に２ビットに設定され得る。このとき、前述の表３ないし表１１に当該するＨＡＲＱタイミングが適用された場合のＦＤＤセカンダリセル中の１つの上りリンクサブフレームに１つのキャリア当たり最大１０個のＰＤＳＣＨと下りリンクＳＰＳ解除を指示するＰＤＣＣＨが対応されるので（すなわち、ＵＬ／ＤＬ設定が５の場合）、端末は基地局からＤＡＩフィールドをベースに最大１０個の値を獲得しなければならない。そのために、下記表１２のように、ＤＡＩフィールドが「（ＭＳＢ、ＬＳＭ）＝（０、１）」の場合、端末はモジュロ演算を介して復号可能なサブフレーム１０を追加することができる。
【０１１８】
【表１２】
2019110600.tif 000014
【０１１９】
一方、ＴＤＤセルの下りリンク容量をより極大化するために、下記表１３のように新たなＴＤＤ  ＵＬ／ＤＬ設定７、８、９が導入され得る。ＴＤＤセルがＵＬ／ＤＬ設定７、８または９に設定された場合、ＰＵＣＣＨ伝送が不可能であるので、該ＴＤＤセルはプライマリセルとして動作することができなく、ＦＤＤセルや既存ＵＬ／ＤＬ設定０ないし６のうち１つに設定されたＴＤＤセルがプライマリセルとして動作する場合、セカンダリセルとしてのみ動作することができる。
【０１２０】
【表１３】
2019110600.tif 000015
【０１２１】
表１３のＵＬ／ＤＬ設定が導入される場合、２つのＴＤＤセルがキャリアアグリゲーションされると、ＴＤＤプライマリセルが既存のＵＬ／ＤＬ設定０ないし６のうち１つに設定され、ＴＤＤセカンダリセルはＵＬ／ＤＬ設定７ないし９のうち１つに設定され得る。
このとき、ＴＤＤセカンダリセルで１つの無線フレーム内の全てのサブフレームを介して下りリンク伝送が実行されるので、ＴＤＤセカンダリセルは下りリンクＰＤＳＣＨ伝送観点からＦＤＤセルと同一であってもよい。よって、前述の方法はＴＤＤセカンダリセルがＵＬ／ＤＬ設定７ないし９のうち１つに設定されたＴＤＤセル間のキャリアアグリゲーションシナリオに適用され得る。このとき、ＴＤＤプライマリセルのＤＬ参照ＵＬ／ＤＬ設定はＴＤＤプライマリセルのＵＬ／ＤＬ設定に従い、ＴＤＤセカンダリセルのＤＬ参照ＵＬ／ＤＬ設定に前述のＦＤＤセカンダリセルのタイミング方法が適用され得る。
【０１２２】
ＵＬ参照ＵＬ／ＤＬ設定
ＵＬ参照ＵＬ／ＤＬ設定の導入目的のうちの１つは、上りリンクグラントまたはＰＨＩＣＨ（ｐｈｙｓｉｃａｌ  ｈｙｂｒｉｄ−ＡＲＱ  ｉｎｄｉｃａｔｏｒ  ｃｈａｎｎｅｌ）が伝送されるサブフレームとＰＵＳＣＨが伝送されるサブフレームとの間の対応関係を決定するためのものである。ＬＴＥ規格によれば、ＬＴＥ−ＴＤＤモードにおいて、サービング（ｓｅｒｖｉｎｇ）セルのＵＬ参照ＵＬ／ＤＬ設定は｛１、２、３、４、５、６｝に属し、ノーマル（ｎｏｒｍａｌ）ＨＡＲＱ動作の場合、サブフレームｎで上りリンクＤＣＩを伝送するＰＤＣＣＨ／ＥＰＤＣＣＨが検出されるか、またはＰＨＩＣＨが検出されると、ＰＵＳＣＨ伝送はサブフレームｎ＋ｋを介して実行され得る。ここで、ｋは下記表１４で与えられる。すなわち、ｋは、ＵＬ参照ＵＬ／ＤＬ設定に相当する値である。
【０１２３】
【表１４】
2019110600.tif 000016
【０１２４】
次に、ＦＤＤセルとＴＤＤセルで構成されたキャリアアグリゲーション（ＦＤＤ−ＴＤＤＣＡ）が設定された端末が考慮される。端末のサービングセルがプライマリセルであるか、またはＣＩＦが設定されないサービングセルである場合、サービングセルのＵＬ／ＤＬ設定はサービングセルのＵＬ参照ＵＬ／ＤＬ設定として用いられる。これはサービングセルがプライマリセルであるか、またはセルフスケジューリングを実行するセルである場合、上りリンクグラント（またはＰＨＩＣＨ）はサービングセルを介して伝送され、ＰＵＳＣＨもサービングセルを介して伝送されるので、サービングセルのＵＬ／ＤＬ設定のみを考慮して上りリンクグラント（またはＰＨＩＣＨ）とＰＵＳＣＨとの間の対応関係が決定されるからである。
【０１２５】
下記表１５は、ＴＤＤセルのＵＬ／ＤＬ設定が与えられた場合、該セルのＰＵＳＣＨとＰＨＩＣＨとの間の対応関係を示す。すなわち、下記表１５は、ＴＤＤセルのためのｋＰＨＩＣＨを示す。下記表１５でＰＵＳＣＨがサブフレームｎを介して伝送されると、これに対応するＨＡＲＱ−ＡＣＫを含むＰＨＩＣＨはサブフレームｎ＋ｋＰＨＩＣＨを介して伝送され得る。
【０１２６】
【表１５】
2019110600.tif 000017
【０１２７】
次に、ＦＤＤセルとＴＤＤセルで構成されたキャリアアグリゲーション（ＦＤＤ−ＴＤＤ  ＣＡ）ベースの無線通信システムにおいて、サービングセルがセカンダリセルであり、ＣＩＦが設定された場合、サービングセルのための上りリンクグラント（または、ＰＨＩＣＨ）とＰＵＳＣＨとの間の対応関係、ＰＵＳＣＨとＰＨＩＣＨとの間の対応関係を決定する方法について説明する。
【０１２８】
ＴＤＤサービングセルがＦＤＤセルによりクロスキャリアスケジューリングされる場合
ＦＤＤセルがＴＤＤセルに対するクロスキャリアスケジューリングを実行する他のサービングセルである場合（すなわち、ＴＤＤサービングセルがＦＤＤセルによりクロスキャリアスケジューリングされる場合）、ＦＤＤセルの全てのサブフレームで下りリンクサブフレームが存在するので、全てのＴＤＤセルのＵＬ／ＤＬ設定に対してＴＤＤサービングセルのためのＰＤＣＣＨ／ＥＰＤＣＣＨ（またはＰＨＩＣＨ）を伝送するサブフレームの制限がない。このとき、ＴＤＤセルのための上りリンクグラント（または、ＰＨＩＣＨ）とＰＵＳＣＨとの間の対応関係は、ＦＤＤ方式またはＴＤＤ方式である。さらに、ＦＤＤセルでクロスキャリアスケジューリングが実行されるので、ＴＤＤセルのＰＵＳＣＨに対応する下りリンクＨＡＲＱ−ＡＣＫはＦＤＤセルでＰＨＩＣＨを介して伝送され得る。ＰＵＳＣＨが伝送されるサブフレームとこれに対応するＰＨＩＣＨが伝送されるサブフレームとの間の対応関係を決定するため、ＦＤＤセルのＰＵＳＣＨとＰＨＩＣＨの対応関係が適用されるか、またはＴＤＤセルのＰＵＳＣＨとＰＨＩＣＨの対応関係が適用され得る。
可能な全ての場合を考慮すると、下記表１６のように、互いに異なる４種の対応関係が適用され得る。下記表１６は、ＦＤＤセルが他のサービングセルである場合にＴＤＤサービングセルのＰＵＳＣＨ伝送のためのＤＬ−ＵＬ対応関係を示す。
【０１２９】
【表１６】
2019110600.tif 000018
【０１３０】
図１５は、ＴＤＤセルがＦＤＤセルによりクロスキャリアスケジューリングされた場合のＴＤＤセルのＰＵＳＣＨ伝送対応関係（すなわち、「方法３−１」でＴＤＤセルのＵＬ／ＤＬ設定が０の場合）を示す概念図である。
【０１３１】
図１５において、「方法３−１」でＴＤＤセルのＰＤＣＣＨ／ＥＰＤＣＣＨ（または、ＰＨＩＣＨ）−ＰＵＳＣＨ対応関係に、既存のＦＤＤタイミングが適用され、ＰＵＳＣＨ−ＰＨＩＣＨ対応関係に新たなＦＤＤタイミングが適用され得る。すなわち、サブフレームｎを介して伝送されたＰＵＳＣＨに対応するＰＨＩＣＨは新たな伝送時点であるサブフレームｎ＋６を介して伝送され得る。既存のＦＤＤタイミング（すなわち、サブフレームｎを介してＰＵＳＣＨが伝送されると、これに対応するＰＨＩＣＨはサブフレームｎ＋４を介して伝送される）が適用される場合、ＨＡＲＱ往復時間（ｒｏｕｎｄ−ｔｒｉｐ  ｔｉｍｅ、ＲＴＴ）は８ｍｓであるので、ＴＤＤセルで再伝送のためのＰＵＳＣＨを伝送すべき時点に上りリンクサブフレームが存在しなくてもよい。
【０１３２】
一方、「方法３−１」によれば、ＨＡＲＱ往復時間は１０ｍｓであるので、ＴＤＤセルで再伝送が発生する時点に常に上りリンクサブフレームが存在するので、既存のサブフレームｎ＋４のＦＤＤタイミングを適用する場合の問題点が解決され得る。表１６で「新たなＦＤＤタイミング」と指称したのは、ＴＤＤ方式のように、ＵＬ／ＤＬ設定及びサブフレーム番号に依存せず、ＦＤＤ方式のように固定された対応関係が存在するからである。
【０１３３】
「方法３−１」の変形された方式として次の２つの方法が考慮され得る。
【０１３４】
（方法３−１ａ）
ＴＤＤセルのＰＤＣＣＨ／ＥＰＤＣＣＨ（または、ＰＨＩＣＨ）−ＰＵＳＣＨ対応関係とＰＵＳＣＨ−ＰＨＩＣＨ対応関係に新たなＦＤＤタイミング方式が適用され得る。端末は、サブフレームｎを介して上りリンクグラント（または、ＰＨＩＣＨ）を受信した場合、これに対応するＰＵＳＣＨをサブフレームｎ＋５を介して伝送し得る。基地局はサブフレームｎを介してＰＵＳＣＨを受信した場合、これに対応するＰＨＩＣＨをサブフレームｎ＋５を介して伝送し得る。
【０１３５】
（方法３−１ｂ）
ＴＤＤセルのＰＤＣＣＨ／ＥＰＤＣＣＨ（または、ＰＨＩＣＨ）−ＰＵＳＣＨ対応関係に新たなＦＤＤタイミングが適用され、ＰＵＳＣＨ−ＰＨＩＣＨ対応関係に既存のＦＤＤタイミングが適用され得る。端末はサブフレームｎを介して上りリンクグラント（または、ＰＨＩＣＨ）を受信した場合、これに対応するＰＵＳＣＨをサブフレームｎ＋６を介して伝送し得る。基地局はサブフレームｎを介してＰＵＳＣＨを受信した場合、これに対応するＰＨＩＣＨをサブフレームｎ＋４を介して伝送し得る。
【０１３６】
「方法３−１ａ」と「方法３−１ｂ」とを適用すると、「方法３−１」と同様にＨＡＲＱ往復時間が１０ｍｓであるので、「方法３−１ａ」と「方法３−１ｂ」は上りリンクの同期式（ｓｙｎｃｈｒｏｎｏｕｓ）ＨＡＲＱ方式に適合し、前述のように既存のＦＤＤタイミングを適用した場合に発生する問題点が解消され得る。
【０１３７】
図１６は、ＴＤＤセルがＦＤＤセルによりクロスキャリアスケジューリングされた場合のＴＤＤセルのＰＵＳＣＨ伝送対応関係（すなわち、「方法３−２」でＴＤＤセルのＵＬ／ＤＬ設定が１の場合）を示す概念図である。
【０１３８】
図１６において、「方法３−２」でＴＤＤセルのＰＤＣＣＨ／ＥＰＤＣＣＨ（または、ＰＨＩＣＨ）−ＰＵＳＣＨ対応関係とＰＵＳＣＨ−ＰＨＩＣＨ対応関係にＴＤＤのタイミングが適用され得る。すなわち、ＴＤＤセルのＵＬ／ＤＬ設定がＴＤＤセルのＵＬ参照ＵＬ／ＤＬ設定として用いられる。ＴＤＤセルを介してＰＵＳＣＨが伝送されるので、「方法３−２」のように、ＴＤＤタイミングを適用することは資源管理面から有利である。特に、ＭＵ−ＭＩＭＯ（ｍｕｌｔｉ  ｕｓｅｒ−ｍｕｌｔｉｐｌｅ  ｉｎｐｕｔ  ｍｕｌｔｉｐｌｅ  ｏｕｔｐｕｔ）ペアリング（ｐａｒｉｎｇ）を考慮すると、端末と関係なく（すなわち、キャリアアグリゲーションを行わず、該ＴＤＤセルのみを用いる端末やクロスキャリアスケジューリングされるＴＤＤセルを用いる端末のすべて）同一のＰＤＣＣＨ／ＥＰＤＣＣＨ（または、ＰＨＩＣＨ）−ＰＵＳＣＨ対応関係に基づいてＴＤＤセルを介してＰＵＳＣＨが伝送され得る。ＭＵ−ＭＩＭＯスケジューリング観点から同一であるか、互いに重なる資源を用いる端末のためのＰＤＣＣＨ／ＥＰＤＣＣＨ（または、ＰＨＩＣＨ）伝送とＰＵＳＣＨ伝送が常に同一時点で実行される方式は一定でない互いに異なる時点でＰＤＣＣＨ／ＥＰＤＣＣＨ（または、ＰＨＩＣＨ）伝送とＰＵＳＣＨ伝送が実行される方式よりもスケジューリング観点からより容易とすることができる。
【０１３９】
（方法３−３）
ＴＤＤセルのＰＤＣＣＨ／ＥＰＤＣＣＨ（または、ＰＨＩＣＨ）−ＰＵＳＣＨ対応関係にＦＤＤタイミングが適用され、ＰＵＳＣＨ−ＰＨＩＣＨ対応関係にＴＤＤセルのＵＬ参照ＵＬ／ＤＬ設定としてＴＤＤセルのＵＬ／ＤＬ設定が適用され得る。
【０１４０】
（方法３−４）
ＴＤＤセルのＰＤＣＣＨ／ＥＰＤＣＣＨ（または、ＰＨＩＣＨ）−ＰＵＳＣＨ対応関係にＴＤＤセルのＵＬ参照ＵＬ／ＤＬ設定としてＴＤＤセルのＵＬ／ＤＬ設定が適用され、ＰＵＳＣＨ−ＰＨＩＣＨ対応関係にＦＤＤタイミングが適用され得る。
【０１４１】
「方法３−３」及び「方法３−４」のように、上りリンクグラント（または、ＰＨＩＣＨ）−ＰＵＳＣＨ対応関係とＰＵＳＣＨ−ＰＨＩＣＨ対応関係に互いに異なるタイミングの適用される方法が考慮されるが、このような方法は「方法３−１」または「方法３−２」と異なって統一されたタイミングを適用しないので、上りリンク同期式ＨＡＲＱ方式に適用されづらい。キャリアアグリゲーションが用いられない無線通信システムやＦＤＤセルまたはＴＤＤセルで構成されたキャリアアグリゲーションが用いられる無線通信システムにおいて、ＦＤＤセルの各上りリンクＨＡＲＱプロセスのための資源は８個サブフレーム周期に割り当てられ、ＴＤＤセルでセルのＵＬ参照ＵＬ／ＤＬ設定により各上りリンクＨＡＲＱプロセスの資源割当サブフレーム位置が決定され得る。
【０１４２】
上りリンク同期式ＨＡＲＱ方式で１つのセル内の各上りリンクＨＡＲＱプロセスのために割り当てられる資源のサブフレーム位置は予め決定され、互いに異なるＨＡＲＱプロセスのための資源は同一のサブフレームに割り当てられなくてもよい。「方法３−３」及び「方法３−４」のように、上りリンクグラント（または、ＰＨＩＣＨ）−ＰＵＳＣＨ対応関係とＰＵＳＣＨ−ＰＨＩＣＨ対応関係に互いに異なるタイミングが適用される場合、互いに異なるＨＡＲＱプロセスのための資源が同一のサブフレームに割り当てられ得る。ＦＤＤ方式の対応関係でＰＵＳＣＨ資源は８個サブフレーム周期に割り当てられ、ＴＤＤ方式の対応関係でＰＵＳＣＨ資源は大部分の場合、１０個サブフレーム周期に割り当てられ得る。
【０１４３】
例えば、「方法３−４」が適用され、ＴＤＤ  ＵＬ／ＤＬ設定１に基づいて対応関係が決定される場合、上りリンクグラント（または、ＰＨＩＣＨ）−ＰＵＳＣＨ間の対応関係として「ｎ→ｎ＋４」または「ｎ→ｎ＋６」が用いられる。ＦＤＤタイミングが適用されると、ＰＵＳＣＨ−ＰＨＩＣＨ間の対応関係として「ｎ→ｎ＋４」が用いられる。よって、ＨＡＲＱプロセスのための資源は８個または１０個サブフレーム周期に割り当てられ得る。その場合、初めて上りリンクグラント（または、ＰＨＩＣＨ）が発生したサブフレームと次のＰＨＩＣＨの対応関係として「ｎ→ｎ＋８」または「ｎ→ｎ＋１０」が用いられる。「ｎ→ｎ＋８」の場合、次のＰＨＩＣＨが発生するサブフレームでＴＤＤセルが「Ｄ」または「Ｓ」でない場合が発生し得るので、新たな上りリンクグラント（または、ＰＨＩＣＨ）−ＰＵＳＣＨ対応関係が追加されなければならない問題がある。また、ＰＨＩＣＨが発生するサブフレームでＴＤＤセルが常に「Ｄ」または「Ｓ」であっても互いに異なるＨＡＲＱプロセス間の資源衝突問題が発生され得る。資源割当周期が８個のサブフレームであるＨＡＲＱプロセスのための資源と資源割当周期が１０個のサブフレームであるＨＡＲＱプロセスのための資源は同一のサブフレームに割り当てられ得る。このような問題は、「方法３−３」でも発生され得る。このような理由で、「方法３−３」及び「方法３−４」のように、上りリンクグラント（または、ＰＨＩＣＨ）−ＰＵＳＣＨ対応関係とＰＵＳＣＨ−ＰＨＩＣＨ対応関係に互いに異なるタイミングを適用する方法が用いられない方が好ましい。「方法３−１」及び「方法３−２」は、ＴＤＤサービングセルがＦＤＤセルによりクロスキャリアスケジューリングされる場合、上りリンクＰＵＳＣＨ伝送タイミングで優先に考慮され得る。
【０１４４】
ＦＤＤサービングセルがＴＤＤセルによりクロスキャリアスケジューリングされる場合
ＦＤＤサービングセルがＴＤＤセルによりクロスキャリアスケジューリングされる場合、クロスキャリアスケジューリングは、ＴＤＤセルが下りリンク伝送ができるサブフレームでのみ可能であるので、ＦＤＤサービングセルのためのＰＤＣＣＨ／ＥＰＤＣＣＨ伝送観点から使用可能なサブフレームに制限がある。よって、ＦＤＤセルの上りリンクＰＵＳＣＨスケジューリングにも制限がある。
【０１４５】
まず、サブフレーム制限をそのまま維持する方式が考慮される。上りリンクグラントとＰＵＳＣＨとの間のタイミングはＦＤＤ方式またはＴＤＤ方式によって設定され得る。そして、ＴＤＤセルでクロスキャリアスケジューリングが実行されるので、ＦＤＤセルのＰＵＳＣＨに対応する下りリンクＨＡＲＱ−ＡＣＫは、ＴＤＤセルのＰＨＩＣＨを介して伝送され得る。このとき、ＰＵＳＣＨとＰＨＩＣＨの対応関係としてＴＤＤセルのＰＵＳＣＨとＰＨＩＣＨの対応関係が適用されるが、ＦＤＤタイミングは適用されない。これは、ＦＤＤセルのＰＵＳＣＨ−ＰＨＩＣＨ対応関係でＰＵＳＣＨ伝送がサブフレームｎから発生すると、これに対応するＰＨＩＣＨはサブフレームｎ＋４を介して伝送されるべきであるが、サブフレームｎ＋４でＴＤＤセルのサブフレームが「Ｄ」または「Ｓ」でない場合が存在し得るからである。このような問題を解決するためにクロスキャリアスケジューリングを実行しないセルでもＰＨＩＣＨを伝送させるようにする方法が用いられる。他の方法で既存のＦＤＤタイミング方式と異なる新たなＦＤＤタイミング方式が導入され得る。
【０１４６】
前述した全ての場合を考慮した場合、下記表１７のように、互いに異なる６個のタイミング方式が適用され得る。下記表１７は、ＴＤＤセルが他のサービングセルである場合、ＦＤＤサービングセルのＰＵＳＣＨ伝送のためのＤＬ−ＵＬ対応関係を示す。「方法３−５」ないし「方法３−７」は、ＰＤＣＣＨ／ＥＰＤＣＣＨ（または、ＰＨＩＣＨ）−ＰＵＳＣＨ対応関係とＰＵＳＣＨ−ＰＨＩＣＨ対応関係に統一されたタイミング方式を適用（すなわち、全てのＴＤＤタイミング方式またはＦＤＤタイミング方式）する方法である。
「方法３−８」ないし「方法３−１０」は、互いに異なるタイミング方式が適用される方法である。次に、「方法３−５」ないし「方法３−７」でＦＤＤサービングセルのＤＬ−ＵＬ対応関係を決定する方法について説明する。
【０１４７】
【表１７】
2019110600.tif 000019
【０１４８】
「方法３−５」でＦＤＤセルのＰＤＣＣＨ／ＥＰＤＣＣＨ（または、ＰＨＩＣＨ）−ＰＵＳＣＨ対応関係とＰＵＳＣＨ−ＰＨＩＣＨ対応関係にＴＤＤタイミングが全て適用され得る。すなわち、ＴＤＤセルのＵＬ／ＤＬ設定が有する対応関係がＦＤＤセルにそのまま適用され得る。
【０１４９】
図１７は、ＦＤＤセルがＴＤＤセルによりクロスキャリアスケジューリングされた場合のＦＤＤセルのＰＵＳＣＨ伝送対応関係（すなわち、「方法３−５」でＴＤＤ  ＵＬ／ＤＬ設定が１の場合）を示す概念図である。
【０１５０】
図１７において、「方法３−５」でＴＤＤセルのＵＬ／ＤＬ設定により定義された対応関係だけが用いられるので、ＦＤＤサービングセルのためのＰＤＣＣＨ／ＥＰＤＣＣＨクロスキャリアスケジューリングが実行されないＴＤＤセルの下りリンクサブフレームが存在し得る。ここで、ＴＤＤセルのサブフレーム０、５でクロスキャリアスケジューリングが実行されなくてもよい。
【０１５１】
図１８は、ＦＤＤセルがＴＤＤセルによりクロスキャリアスケジューリングされた場合のＦＤＤセルのＰＵＳＣＨ伝送対応関係（すなわち、「方法３−５」でＴＤＤ  ＵＬ／ＤＬ設定が５の場合）を示す概念図である。
【０１５２】
図１８において、ＴＤＤセルの１つの無線フレーム内に下りリンクサブフレームと特別サブフレームが９個であるにもかかわらず、ＦＤＤサービングセルのためのクロスキャリアスケジューリングは、ＴＤＤセルのサブフレーム８でのみ実行され得る。よって、ＴＤＤセルのサブフレーム８に対応するＦＤＤセルのサブフレーム２を介してＰＵＳＣＨが伝送され、ＦＤＤセルでサブフレーム２を除いたサブフレームを介してＰＵＳＣＨは伝送されなくてもよい。
【０１５３】
図１９は、ＦＤＤセルがＴＤＤセルによりクロスキャリアスケジューリングされた場合のＦＤＤセルのＰＵＳＣＨ伝送対応関係（すなわち、「方法３−６」でＴＤＤ  ＵＬ／ＤＬ設定が１の場合）を示す概念図である。
【０１５４】
図１９において、「方法３−６」でＦＤＤセルのＰＤＣＣＨ／ＥＰＤＣＣＨ（または、ＰＨＩＣＨ）−ＰＵＳＣＨ対応関係とＰＵＳＣＨ−ＰＨＩＣＨ対応関係にＦＤＤタイミングが全て適用され得る。ただし、サブフレームｎを介して伝送されたＰＵＳＣＨに対応するＰＨＩＣＨがサブフレームｎ＋４を介して伝送されることを保障するため、クロスキャリアスケジューリングを実行しないＦＤＤセルでＰＨＩＣＨが伝送され得る。「方法３−６」によれば、ＦＤＤセルのＰＵＳＣＨ伝送に対してＦＤＤタイミングが適用されるので、「方法３−２」と同様に、ＭＵ−ＭＩＭＯスケジューリングに役立つ。しかし、クロスキャリアスケジューリングが適用されないＦＤＤセルでＰＨＩＣＨ伝送を許容することは、ＦＤＤセルの制御チャネルに対するセル間干渉問題を引き起こし得る。
【０１５５】
図２０は、ＦＤＤセルがＴＤＤセルによりクロスキャリアスケジューリングされた場合のＦＤＤセルのＰＵＳＣＨ伝送対応関係（すなわち、「方法３−７」でＴＤＤ  ＵＬ／ＤＬ設定が５の場合）を示す概念図である。
【０１５６】
図２０において、「方法３−７」でＦＤＤセルのＰＤＣＣＨ／ＥＰＤＣＣＨ（または、ＰＨＩＣＨ）−ＰＵＳＣＨ対応関係に既存のＦＤＤタイミングが適用され、ＰＵＳＣＨ−ＰＨＩＣＨ対応関係に新たなＦＤＤタイミングが適用され得る。すなわち、基地局はサブフレームｎを介して受信したＰＵＳＣＨに対応するＰＨＩＣＨを新たな伝送時点であるサブフレームｎ＋６を介して伝送し得る。「方法３−７」によればＴＤＤセルのサブフレームｎ＋６が常に「Ｄ」または「Ｓ」であるので、既存のサブフレームｎ＋４のＦＤＤタイミング方式の問題点は解消され得る。
【０１５７】
さらに、「方法３−７」の変形された方式として次の２つの方法が適用され得る。
【０１５８】
（方法３−７ａ）
ＦＤＤセルのＰＤＣＣＨ／ＥＰＤＣＣＨ（または、ＰＨＩＣＨ）−ＰＵＳＣＨ対応関係とＰＵＳＣＨ−ＰＨＩＣＨ対応関係に新たなＦＤＤタイミングが適用され得る。端末が上りリンクグラント（または、ＰＨＩＣＨ）を、ＴＤＤセルのサブフレームｎを介して受信した場合、ＦＤＤセルのサブフレームｎ＋５を介してＰＵＳＣＨが伝送され得る。基地局がＰＵＳＣＨを、ＦＤＤセルのサブフレームｎを介して受信した場合、ＴＤＤセルのサブフレームｎ＋５を介してＰＨＩＣＨが伝送され得る。
【０１５９】
（方法３−７ｂ）
ＦＤＤセルのＤＣＣＨ／ＥＰＤＣＣＨ（または、ＰＨＩＣＨ）−ＰＵＳＣＨ対応関係に新たなＦＤＤタイミングが適用され、ＰＵＳＣＨ−ＰＨＩＣＨ対応関係に既存のＦＤＤタイミングが適用され得る。端末が上りリンクグラント（またはＰＨＩＣＨ）を、ＴＤＤセルのサブフレームｎを介して受信した場合、ＦＤＤセルのサブフレームｎ＋６を介してＰＵＳＣＨが伝送され得る。基地局がＰＵＳＣＨをＦＤＤセルのサブフレームｎを介して受信した場合、ＴＤＤセルのサブフレームｎ＋４を介してＰＨＩＣＨが伝送され得る。
【０１６０】
「方法３−５」によれば、ＦＤＤセルの上りリンクサブフレームはＴＤＤセルの上りリンクサブフレームの個数分に用いられる。「方法３−７」によれば、ＦＤＤセルの上りリンクサブフレームはＴＤＤセルの下りリンクサブフレーム個数分に用いられる。よって、ＦＤＤセルの上りリンク資源利用率観点においてＴＤＤセルのＵＬ／ＤＬ設定が０の場合、「方法３−７」に比べて「方法３−５」が有利であり、ＴＤＤセルのＵＬ／ＤＬ設定が１ないし６の場合、「方法３−５」に比べて「方法３−７」が有利である。これにより、次の方法が適用され得る。
【０１６１】
（方法３−１１）
ＴＤＤサービングセルのＵＬ／ＤＬ設定が０の場合、ＦＤＤセルのスケジューリング及びＨＡＲＱタイミングに「方法３−５」が適用され、ＴＤＤサービングセルのＵＬ／ＤＬ設定が１ないし６の場合、ＦＤＤセルのスケジューリング及びＨＡＲＱタイミングに「方法３−７」が適用され得る。
【０１６２】
（方法３−１１ａ）
ＴＤＤサービングセルのＵＬ／ＤＬ設定が０の場合、ＦＤＤセルのスケジューリング及びＨＡＲＱタイミングに「方法３−５」が適用され、ＴＤＤサービングセルのＵＬ／ＤＬ設定が１ないし６の場合、ＦＤＤセルのスケジューリング及びＨＡＲＱタイミングに「方法３−７ａ」が適用され得る。
【０１６３】
（方法３−１１ｂ）
ＴＤＤサービングセルのＵＬ／ＤＬ設定が０の場合、ＦＤＤセルのスケジューリング及びＨＡＲＱタイミングに「方法３−５」が適用され、ＴＤＤサービングセルのＵＬ／ＤＬ設定が１ないし６の場合、ＦＤＤセルのスケジューリング及びＨＡＲＱタイミングに「方法３−７ｂ」が適用され得る。
【０１６４】
前述のように、ＦＤＤサービングセルがＴＤＤセルによりクロスキャリアスケジューリングされた場合、クロスキャリアスケジューリングはＴＤＤセルの下りリンクサブフレームでのみ可能であるので、ＦＤＤセルの上りリンクＰＵＳＣＨスケジューリングが制限され得る。
【０１６５】
ＦＤＤサービングセルがＴＤＤセルによりクロスキャリアスケジューリングされた場合、ＦＤＤセルの上りリンクＰＵＳＣＨスケジューリングの制限を無くす方法として複数のサブフレームスケジューリングが導入され得る。すなわち、ＴＤＤセルによりクロスキャリアスケジューリングされた場合に複数のサブフレームが一度にスケジューリングされ得る。この場合、ＦＤＤサービングセルのＤＬ−ＵＬ対応関係として「方法３−５」ないし「方法３−７」のうち１つが適用され得る。「方法３−５」ないし「方法３−７」に複数のサブフレームスケジューリングが適用される場合、複数のサブフレームスケジューリングによって割り当てられたＰＵＳＣＨとこれに対応するＰＨＩＣＨとの間の対応関係は新たに定義されるべきである。
【０１６６】
（方法３−１２）
ＴＤＤセルの下りリンクサブフレームｎを介して上りリンクグラント（または、ＰＨＩＣＨ）が伝送された場合、これに対応するＰＵＳＣＨはＦＤＤセルの上りリンクサブフレームｎ＋ｋを介して伝送され得る。また、ＴＤＤセルの下りリンクサブフレームｉを介して伝送されるＰＨＩＣＨは、ＦＤＤセルの上りリンクサブフレームｉ−ｍを介して伝送されるＰＵＳＣＨに対応し得る。ここで、ＴＤＤサービングセルのＵＬ／ＤＬ設定０ないし６のためのｋは下記表１８によって与えられ、ＴＤＤサービングセルのＵＬ／ＤＬ設定０ないし６のためのｍは下記表１９によって与えられる。
【０１６７】
【表１８】
2019110600.tif 000020
【０１６８】
【表１９】
2019110600.tif 000021
【０１６９】
「方法３−１２」は、「方法３−７」のタイミング関係をベースに複数のサブフレームスケジューリングをさらに適用することによって、対応関係がなかったＦＤＤセルの上りリンクサブフレームのスケジューリングが可能とさせた方法である。複数のサブフレームスケジューリングが適用されたサブフレームはＴＤＤサービングセルの下りリンクサブフレーム１、６である。
【０１７０】
図２１は、ＦＤＤセルがＴＤＤセルによりクロスキャリアスケジューリングされた場合、ＦＤＤセルのＰＵＳＣＨ伝送対応関係（すなわち、「方法３−１２」でＴＤＤ  ＵＬ／ＤＬ設定が１の場合）を示す概念図である。
【０１７１】
図２１において、「方法３−７」と比べて新たな対応関係が追加されたＦＤＤセルの上りリンクサブフレームは１、２、６、７であり、これにマッピングされるＨＡＲＱプロセスの往復時間は全て１０ｍｓで、既存ＨＡＲＱプロセスの往復時間と同一である。
【０１７２】
図２２は、ＦＤＤセルがＴＤＤセルによりクロスキャリアスケジューリングされた場合、ＦＤＤセルのＰＵＳＣＨ伝送対応関係（すなわち、「方法３−１２」でＴＤＤ  ＵＬ／ＤＬ設定が３の場合）を示す概念図である。
【０１７３】
図２２において、ＴＤＤセルのＵＬ／ＤＬ設定が３の場合の「方法３−１２」による対応関係が示される。「方法３−１１」によれば、ＦＤＤセルの上りリンクサブフレーム８はスケジューリングされることができない。ＦＤＤセルの上りリンクサブフレーム８をさらに用いるために、ＵＬ／ＤＬ設定３に複雑なタイミング対応関係を導入しなければならなく、この場合に全体的にＨＡＲＱプロセスの往復時間が長くなる問題がある。「方法３−１２」によれば、ＦＤＤセルの上りリンクサブフレーム８を除いた残りの９個の上りリンクサブフレームに対応するＨＡＲＱプロセスが１０ｍｓの短い往復時間を有し得る。さらに、使用が制限されたサブフレームを介して既存端末（例えば、ｒｅｌｅａｓｅ−１１までの端末）またはＦＤＤプライマリセルを有する端末は相変らずスケジューリングを受けることができるので、全体容量の観点から大きい問題とはならない。
【０１７４】
「方法３−１２」によれば、使用が制限されるＦＤＤセルの上りリンクサブフレームはＵＬ／ＤＬ設定が０の場合にサブフレーム３、８であり、ＵＬ／ＤＬ設定が３の場合にサブフレーム８であり、ＵＬ／ＤＬ設定が６の場合にサブフレーム８である。
【０１７５】
「方法３−１２」によれば、ＴＤＤセルの一部下りリンクサブフレームにＦＤＤセルのＰＵＳＣＨに対応するＰＨＩＣＨが最大３つまで集中され得る。例えば、ＦＤＤセルの上りリンクサブフレーム５、６、７を介してそれぞれ伝送されたＰＵＳＣＨに対応するＰＨＩＣＨがＴＤＤセルの下りリンクサブフレーム１を介して同時に伝送され得る。ＰＨＩＣＨの負荷を分散させるための方法として次の変形された対応関係が適用され得る。
【０１７６】
（方法３−１３）
ＴＤＤセルの下りリンクサブフレームｎを介して上りリンクグラント（または、ＰＨＩＣＨ）が伝送された場合、これに対応するＰＵＳＣＨはＦＤＤセルの上りリンクサブフレームｎ＋ｋ’を介して伝送され得る。さらに、ＴＤＤセルの下りリンクサブフレームｉを介して伝送されるＰＨＩＣＨはＦＤＤセルの上りリンクサブフレームｉ−ｍ’を介して伝送されたＰＵＳＣＨに対応し得る。ここで、ＴＤＤサービングセルのＵＬ／ＤＬ設定０ないし６のためのｋ’は下記表２０によって与えられ、ＴＤＤサービングセルのＵＬ／ＤＬ設定０ないし６のためのｍ’は下記表２１によって与えられる。
【０１７７】
【表２０】
2019110600.tif 000022
【０１７８】
【表２１】
2019110600.tif 000023
【０１７９】
以上、実施形態を参照しながら説明したが、当該技術分野の熟練した当業者は、添付の特許請求の範囲に記載された本発明の思想及び領域から逸脱しない範囲内で、本発明を多様に修正及び変更可能であるものと理解する。
【図１】
2019110600.tif 000024
【図２】
2019110600.tif 000025
【図３】
2019110600.tif 000026
【図４】
2019110600.tif 000027
【図５】
2019110600.tif 000028
【図６】
2019110600.tif 000029
【図７】
2019110600.tif 000030
【図８】
2019110600.tif 000031
【図９】
2019110600.tif 000032
【図１０】
2019110600.tif 000033
【図１１】
2019110600.tif 000034
【図１２】
2019110600.tif 000035
【図１３】
2019110600.tif 000036
【図１４】
2019110600.tif 000037
【図１５】
2019110600.tif 000038
【図１６】
2019110600.tif 000039
【図１７】
2019110600.tif 000040
【図１８】
2019110600.tif 000041
【図１９】
2019110600.tif 000042
【図２０】
2019110600.tif 000043
【図２１】
2019110600.tif 000044
【図２２】
2019110600.tif 000045
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数、ｋおよびｌは自然数））を介して前記ＦＤＤセルの上りリンクデータチャネル伝送のためのグラント（ｇｒａｎｔ）を受信することと、
前記ＦＤＤセルの上りリンクサブフレーム（ｕｐｌｉｎｋ  ｓｕｂｆｒａｍｅ）（ｎ−ｋ）を介して、上りリンクデータチャネル伝送のためのグラントをベースに上りリンクデータチャネルを伝送することと、
前記ＴＤＤセルのサブフレームｎを介して前記上りリンクデータチャネルのためのＡＣＫまたはＮＡＣＫを受信することと、
を含み、
ｎは前記ＴＤＤセルのフレーム内でのサブフレームの位置を示すサブフレームインデックス値であって、０から９までの一つであり、
前記グラントが受信された前記サブフレームと前記ＴＤＤセルの上りリンク／下りリンク設定にかかわらず、ｎで表示された前記サブフレームｎが、前記ＴＤＤセルの下りリンクサブフレーム又は特別（ｓｐｅｃｉａｌ）サブフレームであることを保障するために、及び同じＨＡＲＱ往復時間（ｒｏｕｎｄ−ｔｒｉｐ  ｔｉｍｅ）を保障するために、前記ＦＤＤセルのタイミング方式に従ってｌは４であり、前記ＴＤＤセルの上りリンク／下りリンク設定のためのｋは６である、
通信方法。
【請求項２】
前記ＴＤＤセルによって前記ＦＤＤセルがクロスキャリアスケジューリング（ｃｒｏｓｓ  ｃａｒｒｉｅｒ  ｓｃｈｅｄｕｌｉｎｇ）される、請求項１に記載の通信方法。
【請求項３】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数、ｋおよびｌは自然数））を介して前記ＦＤＤセルの上りリンクデータチャネル伝送のためのグラント（ｇｒａｎｔ）を伝送することと、
前記ＦＤＤセルの上りリンクサブフレーム（ｕｐｌｉｎｋ  ｓｕｂｆｒａｍｅ）（ｎ−ｋ）を介して、上りリンクデータチャネル伝送のためのグラントをベースに上りリンクデータチャネルを受信することと、
前記ＴＤＤセルのサブフレームｎを介して前記上りリンクデータチャネルに対するＡＣＫまたはＮＡＣＫを伝送することと、
を含み、
ｎは前記ＴＤＤセルのフレーム内でのサブフレームの位置を示すサブフレームインデックス値であって、０から９までの一つであり、
前記グラントが受信された前記サブフレームと前記ＴＤＤセルの上りリンク／下りリンク設定にかかわらず、ｎで表示された前記サブフレームｎが、前記ＴＤＤセルの下りリンクサブフレーム又は特別（ｓｐｅｃｉａｌ）サブフレームであることを保障するために、及び同じＨＡＲＱ往復時間（ｒｏｕｎｄ−ｔｒｉｐ  ｔｉｍｅ）を保障するために、前記ＦＤＤセルのタイミング方式に従ってｌは４であり、前記ＴＤＤセルの上りリンク／下りリンク設定のためのｋは６である、
通信方法。
【請求項４】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−ｌ（ｎは０以上の整数であり、ｋおよびｌは自然数））を介して前記ＦＤＤセルの上りリンクデータチャネル伝送のためのＮＡＣＫを受信することと、
前記ＦＤＤセルの上りリンクサブフレーム（ｕｐｌｉｎｋ  ｓｕｂｆｒａｍｅ）（ｎ−ｋ）を介して、前記ＮＡＣＫに基づく上りリンクデータチャネルを伝送することと、
前記ＴＤＤセルのサブフレームｎを介して前記上りリンクデータチャネルに対するＡＣＫまたはＮＡＣＫを受信することと、
を含み、
ｎは前記ＴＤＤセルのフレーム内でのサブフレームの位置を示すサブフレームインデックス値であって、０から９までの一つであり、
前記ＮＡＣＫが受信された前記サブフレームと前記ＴＤＤセルの上りリンク／下りリンク設定にかかわらず、ｎで表示された前記サブフレームｎが、前記ＴＤＤセルの上りリンクサブフレーム又は特別（ｓｐｅｃｉａｌ）サブフレームであることを保障するために、及び同じＨＡＲＱ往復時間（ｒｏｕｎｄ−ｔｒｉｐ  ｔｉｍｅ）を保障するために、前記ＦＤＤセルのタイミング方式に従ってｌは４であり、前記ＴＤＤセルの上りリンク／下りリンク設定のためのｋは６である、
通信方法。
【請求項５】
前記ＴＤＤセルによって前記ＦＤＤセルがクロスキャリアスケジューリング（ｃｒｏｓｓ  ｃａｒｒｉｅｒ  ｓｃｈｅｄｕｌｉｎｇ）される、請求項４に記載の通信方法。
【請求項６】
ＦＤＤ（ｆｒｅｑｕｅｎｃｙ  ｄｉｖｉｓｉｏｎ  ｄｕｐｌｅｘ）セル（ｃｅｌｌ）とＴＤＤ（ｔｉｍｅ  ｄｉｖｉｓｉｏｎ  ｄｕｐｌｅｘ）セルとが統合されるシステムにおける通信方法であって、
前記ＴＤＤセルの下りリンクサブフレーム（ｄｏｗｎｌｉｎｋ  ｓｕｂｆｒａｍｅ）または特別（ｓｐｅｃｉａｌ）サブフレーム（ｎ−ｋ−１（ｎは０以上の整数、ｋおよび１は自然数））を介して前記ＦＤＤセルの上りリンクデータチャネル伝送のためのＮＡＣＫを伝送することと、
前記ＦＤＤセルの上りリンクサブフレーム（ｕｐｌｉｎｋ  ｓｕｂｆｒａｍｅ）（ｎ−ｋ）を介して前記ＮＡＣＫに基づく上りリンクデータチャネルを受信することと、
前記ＴＤＤセルのサブフレームｎを介して前記上りリンクデータチャネルのためのＡＣＫまたはＮＡＣＫを伝送することと、
を含み、
ｎは前記ＴＤＤセルのフレーム内でのサブフレームの位置を示すサブフレームインデックス値であって、０から９までの一つであり、
前記ＮＡＣＫが受信された前記サブフレームと前記ＴＤＤセルの上りリンク／下りリンク設定にかかわらず、ｎで表示された前記サブフレームｎが、前記ＴＤＤセルの上りリンクサブフレーム又は特別（ｓｐｅｃｉａｌ）サブフレームであることを保障するために、及び同じＨＡＲＱ往復時間（ｒｏｕｎｄ−ｔｒｉｐ  ｔｉｍｅ）を保障するために、前記ＦＤＤセルのタイミング方式に従ってｌは４であり、前記ＴＤＤセルの上りリンク／下りリンク設定のためのｋは６である、
通信方法。